(57)【要約】【課題】メイン半導体素子と同一の半導体基板に電流センス部を備えた半導体装置であって、寄生ダイオードの逆回復耐量を向上させることができる半導体装置を提供すること。【解決手段】メイン半導体素子１１の単位セルが配置されていないメイン無効領域１ｂにおいて半導体基板１０のおもて面の表面領域には、電流センス部１２の単位セルが配置されたセンス有効領域１２ａと離れて、センス有効領域１２ａの周囲を囲むｐ型ベース領域３４ｂ’が設けられている。ｐ型ベース領域３４ｂ’は、メイン半導体素子１１のソースパッド２１ａの電位に固定されている。メイン無効領域１ｂの少なくともセンス無効領域１２ｂに、ｎ-型ドリフト領域３２よりも少数キャリアのライフタイムが短い低ライフタイム領域６３が設けられている。低ライフタイム領域６３は、ｐ型ベース領域３４ｂ’および第２ｐ+型領域６２ｂ’とｎ-型ドリフト領域３２とのｐｎ接合を内部に含む。【選択図】図１
2020191420.tif 000002
【特許請求の範囲】
【請求項１】
シリコンよりもバンドギャップの広い半導体からなる半導体基板と、
前記半導体基板の内部に設けられた第１の第１導電型領域と、
前記半導体基板の第１主面と前記第１の第１導電型領域との間に設けられた第１の第２導電型領域と、
前記第１の第１導電型領域をドリフト領域とし、前記第１の第２導電型領域をベース領域とする第１絶縁ゲート型電界効果トランジスタと、
前記半導体基板の第１主面上に設けられ、前記第１の第２導電型領域に電気的に接続された、前記第１絶縁ゲート型電界効果トランジスタの第１ソースパッドと、
前記半導体基板の第１主面と前記第１の第１導電型領域との間であって、前記第１の第２導電型領域とは異なる領域に設けられた第２の第２導電型領域と、
前記第１の第１導電型領域をドリフト領域とし、前記第２の第２導電型領域をベース領域とし、前記第１絶縁ゲート型電界効果トランジスタと同じセル構造の複数のセルを、前記第１絶縁ゲート型電界効果トランジスタよりも少ない個数で有する第２絶縁ゲート型電界効果トランジスタと、
前記半導体基板の第１主面上に前記第１ソースパッドと離れて設けられ、前記第２の第２導電型領域に電気的に接続された、前記第２絶縁ゲート型電界効果トランジスタの第２ソースパッドと、
前記第１絶縁ゲート型電界効果トランジスタのセルが配置された第１有効領域と、前記第２絶縁ゲート型電界効果トランジスタのセルが配置された第２有効領域と、を除く無効領域において、前記半導体基板の第１主面と前記第１の第１導電型領域との間に、前記第２有効領域と離れて設けられ、前記第２有効領域の周囲を囲み、かつ前記第１の第２導電型領域に電気的に接続された第３の第２導電型領域と、
前記無効領域において、前記第１の第１導電型領域の内部に、前記第２有効領域と離れて設けられ、前記第３の第２導電型領域と前記第１の第１導電型領域とのｐｎ接合で形成される寄生ダイオードの順方向電圧を、前記第２の第２導電型領域と前記第１の第１導電型領域とのｐｎ接合で形成される寄生ダイオードの順方向電圧よりも高くする高抵抗半導体領域と、
前記半導体基板の第２主面と前記第１の第１導電型領域との間に設けられた、前記第１の第１導電型領域よりも不純物濃度の高い第２の第１導電型領域と、
前記半導体基板の第２主面にオーミック接触して、前記第２の第１導電型領域に電気的に接続された、前記第１絶縁ゲート型電界効果トランジスタおよび前記第２絶縁ゲート型電界効果トランジスタに共通のドレイン電極と、
を備えることを特徴とする半導体装置。
【請求項２】
前記高抵抗半導体領域は、前記第３の第２導電型領域と前記第１の第１導電型領域とのｐｎ接合を内部に含む、前記第１の第１導電型領域よりも少数キャリアのライフタイムが短い低ライフタイム領域であることを特徴とする請求項１に記載の半導体装置。
【請求項３】
前記高抵抗半導体領域は、前記半導体基板の第２主面の表面領域に選択的に設けられ、前記半導体基板の第２主面の表面領域の、前記高抵抗半導体領域を除く領域よりも高いコンタクト抵抗で前記ドレイン電極とオーミック接触する高コンタクト抵抗領域であることを特徴とする請求項１に記載の半導体装置。
【請求項４】
前記高抵抗半導体領域を２つ有し、
一方の前記高抵抗半導体領域は、前記高コンタクト抵抗領域であり、
他方の前記高抵抗半導体領域は、前記第３の第２導電型領域と前記第１の第１導電型領域とのｐｎ接合を内部に含む、前記第１の第１導電型領域よりも少数キャリアのライフタイムが短い低ライフタイム領域であることを特徴とする請求項３に記載の半導体装置。
【請求項５】
前記第２有効領域は、前記第２ソースパッドの直下の一部の領域であり、
前記高抵抗半導体領域は、前記第２ソースパッドの直下の、前記第２有効領域を除く領域に設けられていることを特徴とする請求項１〜４のいずれか一つに記載の半導体装置。
【請求項６】
前記高抵抗半導体領域は、前記第２ソースパッドの直下の、前記第２有効領域を除く領域のみに設けられていることを特徴とする請求項５に記載の半導体装置。
【請求項７】
前記無効領域において前記半導体基板の第１主面上に、前記第１ソースパッドおよび前記第２ソースパッドと離れて設けられた１つ以上の電極パッドをさらに備え、
前記高抵抗半導体領域は、少なくとも１つの前記電極パッドの直下に延在していることを特徴とする請求項５に記載の半導体装置。
【請求項８】
前記第２の第２導電型領域と前記第３の第２導電型領域との間に設けられ、前記第２の第２導電型領域の周囲を囲む第３の第１導電型領域をさらに備え、
前記高抵抗半導体領域は、前記無効領域の、前記第３の第１導電型領域を除く領域の全域に延在していることを特徴とする請求項５に記載の半導体装置。
【請求項９】
前記第２の第２導電型領域と前記第３の第２導電型領域との距離は０．１μｍ以上であることを特徴とする請求項１〜８のいずれか一つに記載の半導体装置。
【請求項１０】
前記第２絶縁ゲート型電界効果トランジスタは、前記第１絶縁ゲート型電界効果トランジスタに流れる過電流を検出することを特徴とする請求項１〜９のいずれか一つに記載の半導体装置。
【発明の詳細な説明】
【技術分野】
【０００１】
この発明は、半導体装置に関する。
【背景技術】
【０００２】
従来、高電圧や大電流を制御するパワー半導体装置の構成材料として、シリコン（Ｓｉ）が用いられている。パワー半導体装置は、バイポーラトランジスタやＩＧＢＴ（Ｉｎｓｕｌａｔｅｄ  Ｇａｔｅ  Ｂｉｐｏｌａｒ  Ｔｒａｎｓｉｓｔｏｒ：絶縁ゲート型バイポーラトランジスタ）、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属−酸化膜−半導体の３層構造からなる絶縁ゲートを備えたＭＯＳ型電界効果トランジスタ）など複数種類あり、これらは用途に合わせて使い分けられている。
【０００３】
例えば、バイポーラトランジスタやＩＧＢＴは、ＭＯＳＦＥＴに比べて電流密度は高く大電流化が可能であるが、高速にスイッチングさせることができない。具体的には、バイポーラトランジスタは数ｋＨｚ程度のスイッチング周波数での使用が限界であり、ＩＧＢＴは数十ｋＨｚ程度のスイッチング周波数での使用が限界である。一方、パワーＭＯＳＦＥＴは、バイポーラトランジスタやＩＧＢＴに比べて電流密度が低く大電流化が難しいが、数ＭＨｚ程度までの高速スイッチング動作が可能である。
【０００４】
また、ＭＯＳＦＥＴは、ＩＧＢＴと異なり、ｐ型ベース領域とｎ-型ドリフト領域とのｐｎ接合で形成される寄生ダイオードを、当該ＭＯＳＦＥＴを保護するための還流ダイオードとして使用可能である。このため、ＭＯＳＦＥＴをインバータ用デバイスとして用いた場合に、ＭＯＳＦＥＴに外付けの還流ダイオードを追加して接続することなく使用することができるため、経済性の面でも注目されている。
【０００５】
市場では大電流と高速性とを兼ね備えたパワー半導体装置への要求が強く、ＩＧＢＴやパワーＭＯＳＦＥＴはその改良に力が注がれ、現在ではほぼ材料限界に近いところまで開発が進んでいる。このため、パワー半導体装置の観点からシリコンに代わる半導体材料が検討されており、低オン電圧、高速特性、高温特性に優れた次世代のパワー半導体装置を作製（製造）可能な半導体材料として炭化珪素（ＳｉＣ）が注目を集めている。
【０００６】
また、炭化珪素は、化学的に非常に安定した半導体材料であり、バンドギャップが３ｅＶと広く、高温でも半導体として極めて安定的に使用することができる。また、炭化珪素は、最大電界強度もシリコンより１桁以上大きいため、オン抵抗を十分に小さくすることができる半導体材料として期待される。このような炭化珪素の特長は、他のシリコンよりもバンドギャップの広い半導体（以下、ワイドバンドギャップ半導体とする）も有する。
【０００７】
従来の半導体装置の構造について、ワイドバンドギャップ半導体として炭化珪素（ＳｉＣ）を用いたｎチャネル型ＭＯＳＦＥＴを例に説明する。図２６は、従来の半導体装置を半導体基板のおもて面側から見たレイアウトを示す平面図である。図２６には、メイン無効領域１０１ｂのｐ型ベース領域１３４ｂ’の外周を破線で示す。ｐ型ベース領域１３４ｂ’の内周は、ｎ-型領域１３２ｂの外周と同じである。センス有効領域１１２ａのｐ型ベース領域１３４ｂをハッチングで示す。
【０００８】
図２７，２８は、図２６の活性領域の断面構造を示す断面図である。図２７には、メイン有効領域１０１ａおよび電流センス部１１２の断面構造（切断線Ｘ１０１−Ｘ１０２−Ｘ１０３−Ｘ１０４−Ｘ１０５における断面構造）を示す。図２８には、メイン有効領域１０１ａ、センス無効領域１１２ｂおよび温度センス部１１３の断面構造（切断線Ｘ１０１−Ｘ１０２−Ｘ１０３および切断線Ｙ１０１−Ｙ１０２における断面構造）を示す。
【０００９】
図２６〜２８に示す従来の半導体装置１２０は、炭化珪素からなる同一の半導体基板１１０の活性領域１０１に、メイン半導体素子１１１と、当該メイン半導体素子１１１を保護・制御するための１つ以上の回路部を有する。メイン半導体素子１１１は縦型ＭＯＳＦＥＴであり、活性領域１０１の有効領域（以下、メイン有効領域とする）１０１ａに互いに隣接して配置された複数の単位セル（機能単位：不図示）で構成される。
【００１０】
メイン半導体素子１１１のソースパッド１２１ａは、メイン有効領域１０１ａにおいて半導体基板１１０のおもて面上に設けられている。メイン半導体素子１１１を保護・制御するための回路部は、活性領域１０１のうち、メイン有効領域１０１ａを除く領域（以下、メイン無効領域とする）１０１ｂに配置されている。メイン無効領域１０１ｂには、メイン半導体素子１１１の単位セルは配置されていない。
【００１１】
メイン無効領域１０１ｂの表面積は、メイン半導体素子１１１を保護・制御するための回路部を備えない半導体装置（メイン無効領域にゲートパッドのみが配置された半導体装置）のメイン無効領域と比べて大きくなっている。メイン半導体素子１１１を保護・制御するための回路部としては、例えば、電流センス部１１２、温度センス部１１３、過電圧保護部（不図示）および演算回路部（不図示）等の高機能部が挙げられる。
【００１２】
電流センス部１１２は、メイン半導体素子１１１と同一構成の単位セルを、メイン半導体素子１１１の単位セル（素子の機能単位）の個数よりも少ない個数で備えた縦型ＭＯＳＦＥＴである。電流センス部１１２は、メイン半導体素子１１１と離れて配置されている。電流センス部１１２は、メイン半導体素子１１１と同じ条件で動作して、メイン半導体素子１１１に流れる過電流（ＯＣ：Ｏｖｅｒ  Ｃｕｒｒｅｎｔ）を検出する。
【００１３】
電流センス部１１２の単位セルは、電流センス部１１２の電極パッド（以下、ＯＣパッドとする）１２２の直下の一部の領域（以下、センス有効領域とする）１１２ａに配置されている。ＯＣパッド１２２の直下の、センス有効領域１１２ａを除く領域（以下、センス無効領域とする）１１２ｂは、電流センス部１１２の単位セルが配置されていない領域であり、電流センス部１１２として機能しない。
【００１４】
センス無効領域１１２ｂのほぼ全域において、半導体基板１１０の表面領域にｐ型ベース領域１３４ｂ’が設けられている。ｐ型ベース領域１３４ｂ’とｎ-型ドリフト領域１３２との間にｐ+型領域１６２ｂ’が設けられている。センス無効領域１１２ｂのｐ型ベース領域１３４ｂ’およびｐ+型領域１６２ｂ’は、センス有効領域１１２ａの周囲を囲むｎ-型領域１３２ｂによりセンス有効領域１１２ａと分離されている。
【００１５】
センス無効領域１１２ｂのｐ型ベース領域１３４ｂ’は、メイン半導体素子１１１のｐ型ベース領域１３４ａに連結され、メイン半導体素子１１１のソース電位に固定されている。また、センス無効領域１１２ｂのｐ型ベース領域１３４ｂ’およびｐ+型領域１６２ｂ’は、メイン無効領域１０１ｂのセンス有効領域１１２ａを除く領域の全域に延在し、ソースパッド１２１ａ以外の電極パッド直下に配置されている。
【００１６】
ソースパッド１２１ａ以外の電極パッドは、メイン無効領域１０１ｂにおいて半導体基板１１０のおもて面上に設けられている。図２６には、ソースパッド１２１ａ、ゲートパッド１２１ｂ、ＯＣパッド１２２、および温度センス部１１３の電極パッド（アノードパッド１２３ａおよびカソードパッド１２３ｂ）を、それぞれＳ、Ｇ、ＯＣ、ＡおよびＫと付す。符号１０２はエッジ終端領域である。
【００１７】
符号１３３ａ〜１５０ａ，１６１ａ，１６２ａは、メイン半導体素子１１１を構成するトレンチゲート型ＭＯＳＦＥＴの各部である。符号１３３ｂ〜１５０ｂ，１６１ｂ，１６２ｂは、電流センス部１１２を構成するトレンチゲート型ＭＯＳＦＥＴの各部である。符号１３１，１３２，１５１は、それぞれ、メイン半導体素子１１１および電流センス部１１２に共通のｎ+型ドレイン領域、ｎ-型ドリフト領域およびドレイン電極である。
【００１８】
符号１８０はフィールド絶縁膜である。符号１８１，１８２は、それぞれ、温度センス部１１３の、ｐ型アノード領域であるｐ型ポリシリコン層およびｎ型カソード領域であるｎ型ポリシリコン層である。符号１８３ａ，１８３ｂは、温度センス部１１３を覆う層間絶縁膜１８３のコンタクトホールである。符号１４７ｃ，１４７ｄ，１４８ｃ，１４８ｄ，１４９ｃ，１５０ｃは、温度センス部１１３の配線構造の各部である。
【００１９】
また、大電流化に伴い、半導体基板のおもて面に沿ってチャネルが形成されるプレーナゲート構造と比べて、トレンチの側壁に沿って半導体基板のおもて面と直交する方向にチャネル（反転層）が形成されるトレンチゲート構造はコスト面で有利である。その理由は、トレンチゲート構造が単位面積当たりの単位セル（素子の構成単位）密度を増やすことができるため、単位面積当たりの電流密度を増やすことができるからである。
【００２０】
デバイスの電流密度を増加させた分、単位セルの占有体積に応じた温度上昇率が高くなるため、放電効率の向上と信頼性の安定化とを図るために両面冷却構造が必要になる。さらに信頼性を考慮して、メイン半導体素子である縦型ＭＯＳＦＥＴと同一の半導体基板に、メイン半導体素子を保護・制御するための回路部として電流センス部、温度センス部および過電圧保護部等の高機能部を配置した高機能構造を有することが必要になる。
【００２１】
従来の半導体装置として、ゲートパッド直下のｐ型ベース領域に重なるように、少数キャリア（正孔（ホール））のライフタイムが短い低ライフタイム領域を設けた装置が提案されている（例えば、下記特許文献１参照。）。下記特許文献１では、ゲートパッド直下に低ライフタイム領域を設けることで、ｐ型ベース領域とｎ-型ドリフト領域とのｐｎ接合で形成される寄生ダイオードの動作時にゲートパッド直下を流れる正孔電流の電流量を減少させている。
【００２２】
従来の別の半導体装置として、電力用のＭＯＳＦＥＴを備えた耐圧集積回路装置（ＨＶＩＣ：Ｈｉｇｈ  Ｖｏｌｔａｇｅ  Ｉｎｔｅｇｒａｔｅｄ  Ｃｉｒｃｕｉｔｓ）の温度センス部として、ＭＯＳＦＥＴよりも通電能力が高いＩＧＢＴを用いた装置が提案されている（例えば、下記特許文献２参照。）。下記特許文献２では、温度センス部をＩＧＢＴとすることで、温度センス部に流れる電流に起因する電圧測定時、抵抗値のより低い抵抗体を用いることができる。
【先行技術文献】
【特許文献】
【００２３】
【特許文献１】国際公開第２０１８／１３５１４７号
【特許文献２】国際公開第２０１６／１７４７５６号
【発明の概要】
【発明が解決しようとする課題】
【００２４】
しかしながら、従来の半導体装置１２０では、メイン無効領域１０１ｂのｐ型ベース領域１３４ｂ’がメイン半導体素子１１１のソース電位に電気的に接続されていることで、メイン無効領域１０１ｂのｐ型ベース領域１３４ｂ’およびｐ+型領域１６２ｂ’とｎ-型ドリフト領域とのｐｎ接合で寄生ダイオードが形成される。センス無効領域１１２ｂのｐ型ベース領域１３４ｂ’はメイン無効領域１０１ｂの、センス有効領域１１２ａを除く領域のほぼ全域にわたって延在しているため、メイン無効領域１０１ｂの表面積が大きくなるほど、メイン無効領域１０１ｂのｐ型ベース領域１３４ｂ’で形成される寄生ダイオードの動作領域が大きくなる。
【００２５】
従来の半導体装置１２０がスイッチングする構成で回路装置に搭載された場合、メイン無効領域１０１ｂのｐ型ベース領域１３４ｂ’で形成される寄生ダイオードは、メイン半導体素子１１１がオフからオンにスイッチングしたときに、メイン半導体素子１１１のｐ型ベース領域１３４ａおよびｐ+型領域１６２ａとｎ-型ドリフト領域１３２とのｐｎ接合で形成される寄生ダイオードとともにターンオフする。このとき、メイン無効領域１０１ｂで発生した正孔（ホール）はセンス有効領域１１２ａに流入して、電流センス部１１２に正孔電流（逆回復電流）が集中する。したがって、メイン無効領域１０１ｂの表面積が大きいほど、電流センス部１１２に大電流が流れて電界集中し、電流センス部１１２が破壊しやすくなる。
【００２６】
この発明は、上述した従来技術による問題点を解消するため、メイン半導体素子と同一の半導体基板に電流センス部を備えた半導体装置であって、寄生ダイオードの逆回復耐量を向上させることができる半導体装置を提供することを目的とする。
【課題を解決するための手段】
【００２７】
上述した課題を解決し、本発明の目的を達成するため、この発明にかかる半導体装置は、次の特徴を有する。第１の第１導電型領域は、シリコンよりもバンドギャップの広い半導体からなる半導体基板の内部に設けられている。第１の第２導電型領域は、前記半導体基板の第１主面と前記第１の第１導電型領域との間に設けられている。第１絶縁ゲート型電界効果トランジスタは、前記第１の第１導電型領域をドリフト領域とし、前記第１の第２導電型領域をベース領域とする。前記第１絶縁ゲート型電界効果トランジスタの第１ソースパッドは、前記半導体基板の第１主面上に設けられ、前記第１の第２導電型領域に電気的に接続されている。
【００２８】
第２の第２導電型領域は、前記半導体基板の第１主面と前記第１の第１導電型領域との間であって、前記第１の第２導電型領域とは異なる領域に設けられている。第２絶縁ゲート型電界効果トランジスタは、前記第１の第１導電型領域をドリフト領域とし、前記第２の第２導電型領域をベース領域とする。前記第２絶縁ゲート型電界効果トランジスタは、前記第１絶縁ゲート型電界効果トランジスタと同じセル構造の複数のセルを、前記第１絶縁ゲート型電界効果トランジスタよりも少ない個数で有する。前記第２絶縁ゲート型電界効果トランジスタの第２ソースパッドは、前記半導体基板の第１主面上に前記第１ソースパッドと離れて設けられ、前記第２の第２導電型領域に電気的に接続されている。
【００２９】
第３の第２導電型領域は、前記第１絶縁ゲート型電界効果トランジスタのセルが配置された第１有効領域と、前記第２絶縁ゲート型電界効果トランジスタのセルが配置された第２有効領域と、を除く無効領域において、前記半導体基板の第１主面と前記第１の第１導電型領域との間に、前記第２有効領域と離れて設けられ、前記第２有効領域の周囲を囲み、かつ前記第１の第２導電型領域に電気的に接続されている。高抵抗半導体領域は、前記無効領域において、前記第１の第１導電型領域の内部に、前記第２有効領域と離れて設けられて、前記第３の第２導電型領域と前記第１の第１導電型領域とのｐｎ接合で形成される寄生ダイオードの順方向電圧を、前記第２の第２導電型領域と前記第１の第１導電型領域とのｐｎ接合で形成される寄生ダイオードの順方向電圧よりも高くする。
【００３０】
第２の第１導電型領域は、前記半導体基板の第２主面と前記第１の第１導電型領域との間に設けられている。前記第２の第１導電型領域は、前記第１の第１導電型領域よりも不純物濃度が高い。前記第１絶縁ゲート型電界効果トランジスタおよび前記第２絶縁ゲート型電界効果トランジスタに共通のドレイン電極は、前記半導体基板の第２主面にオーミック接触して、前記第２の第１導電型領域に電気的に接続されている。
【００３１】
また、この発明にかかる半導体装置は、上述した発明において、前記高抵抗半導体領域は、前記第３の第２導電型領域と前記第１の第１導電型領域とのｐｎ接合を内部に含む、前記第１の第１導電型領域よりも少数キャリアのライフタイムが短い低ライフタイム領域であることを特徴とする。
【００３２】
また、この発明にかかる半導体装置は、上述した発明において、前記高抵抗半導体領域は、前記半導体基板の第２主面の表面領域に選択的に設けられ、前記半導体基板の第２主面の表面領域の、前記高抵抗半導体領域を除く領域よりも高いコンタクト抵抗で前記ドレイン電極とオーミック接触する高コンタクト抵抗領域であることを特徴とする。
【００３３】
また、この発明にかかる半導体装置は、上述した発明において、前記高抵抗半導体領域を２つ有している。一方の前記高抵抗半導体領域は、前記高コンタクト抵抗領域である。他方の前記高抵抗半導体領域は、前記第３の第２導電型領域と前記第１の第１導電型領域とのｐｎ接合を内部に含む、前記第１の第１導電型領域よりも少数キャリアのライフタイムが短い低ライフタイム領域であることを特徴とする。
【００３４】
また、この発明にかかる半導体装置は、上述した発明において、前記第２有効領域は、前記第２ソースパッドの直下の一部の領域である。前記高抵抗半導体領域は、前記第２ソースパッドの直下の、前記第２有効領域を除く領域に設けられていることを特徴とする。
【００３５】
また、この発明にかかる半導体装置は、上述した発明において、前記高抵抗半導体領域は、前記第２ソースパッドの直下の、前記第２有効領域を除く領域のみに設けられていることを特徴とする。
【００３６】
また、この発明にかかる半導体装置は、上述した発明において、前記無効領域において前記半導体基板の第１主面上に、前記第１ソースパッドおよび前記第２ソースパッドと離れて設けられた１つ以上の電極パッドをさらに備える。前記高抵抗半導体領域は、少なくとも１つの前記電極パッドの直下に延在していることを特徴とする。
【００３７】
また、この発明にかかる半導体装置は、上述した発明において、前記第２の第２導電型領域と前記第３の第２導電型領域との間に設けられ、前記第２の第２導電型領域の周囲を囲む第３の第１導電型領域をさらに備える。前記高抵抗半導体領域は、前記無効領域の、前記第３の第１導電型領域を除く領域の全域に延在していることを特徴とする。
【００３８】
また、この発明にかかる半導体装置は、上述した発明において、前記第２の第２導電型領域と前記第３の第２導電型領域との距離は０．１μｍ以上であることを特徴とする。
【００３９】
また、この発明にかかる半導体装置は、上述した発明において、前記第２絶縁ゲート型電界効果トランジスタは、前記第１絶縁ゲート型電界効果トランジスタに流れる過電流を検出することを特徴とする。
【００４０】
上述した発明によれば、無効領域に形成される第１絶縁ゲート型電界効果トランジスタの寄生ダイオードのターンオン時に、無効領域のドリフト領域に蓄積される少数キャリアの蓄積量を小さくすることができる。したがって、第１絶縁ゲート型電界効果トランジスタの寄生ダイオードがターンオフしたとき、無効領域のドリフト領域中で発生する少数キャリア電流の電流量が小さくなり、第２絶縁ゲート型電界効果トランジスタのベース領域へ正孔電流が過剰に流れ込むことを抑制することができ、第２絶縁ゲート型電界効果トランジスタのＥＳＤ耐量が高くなり、無効領域の寄生ダイオードの逆回復耐量を向上させることができる。
【発明の効果】
【００４１】
本発明にかかる半導体装置によれば、メイン半導体素子と同一の半導体基板に電流センス部を備えた半導体装置であって、寄生ダイオードの逆回復耐量を向上させることができるという効果を奏する。
【図面の簡単な説明】
【００４２】
【図１】実施の形態１にかかる半導体装置を半導体基板のおもて面側から見たレイアウトを示す平面図である。
【図２】図１の活性領域の断面構造を示す断面図である。
【図３】図１の活性領域の断面構造を示す断面図である。
【図４】実施の形態１にかかる半導体装置の等価回路を示す回路図である。
【図５】実施の形態１にかかる半導体装置の製造途中の状態を示す断面図である。
【図６】実施の形態１にかかる半導体装置の製造途中の状態を示す断面図である。
【図７】実施の形態１にかかる半導体装置の製造途中の状態を示す断面図である。
【図８】実施の形態１にかかる半導体装置の製造途中の状態を示す断面図である。
【図９】実施の形態１にかかる半導体装置の製造途中の状態を示す断面図である。
【図１０】実施の形態１にかかる半導体装置の製造途中の状態を示す断面図である。
【図１１】実施の形態２にかかる半導体装置を半導体基板のおもて面側から見たレイアウトを示す平面図である。
【図１２】実施の形態３にかかる半導体装置を半導体基板のおもて面側から見たレイアウトを示す平面図である。
【図１３】実施の形態４にかかる半導体装置を半導体基板のおもて面側から見たレイアウトを示す平面図である。
【図１４】実施の形態４にかかる半導体装置の別の一例を半導体基板のおもて面側から見たレイアウトを示す平面図である。
【図１５】実施の形態４にかかる半導体装置の別の一例を半導体基板のおもて面側から見たレイアウトを示す平面図である。
【図１６】実施の形態５にかかる半導体装置を半導体基板のおもて面側から見たレイアウトを示す平面図である。
【図１７】図１６の活性領域の断面構造を示す断面図である。
【図１８】図１６の活性領域の断面構造を示す断面図である。
【図１９】実施の形態５にかかる半導体装置の別の一例を半導体基板のおもて面側から見たレイアウトを示す平面図である。
【図２０】実施の形態５にかかる半導体装置の別の一例を半導体基板のおもて面側から見たレイアウトを示す平面図である。
【図２１】実施の形態５にかかる半導体装置の別の一例を半導体基板のおもて面側から見たレイアウトを示す平面図である。
【図２２】実施の形態５にかかる半導体装置の別の一例を半導体基板のおもて面側から見たレイアウトを示す平面図である。
【図２３】実施の形態５にかかる半導体装置の別の一例を半導体基板のおもて面側から見たレイアウトを示す平面図である。
【図２４】実施例１の逆回復耐量による遮断電流の電流量を示す特性図である。
【図２５】実施例２の逆回復耐量による遮断電流の電流量を示す特性図である。
【図２６】従来の半導体装置を半導体基板のおもて面側から見たレイアウトを示す平面図である。
【図２７】図２６の活性領域の断面構造を示す断面図である。
【図２８】図２６の活性領域の断面構造を示す断面図である。
【発明を実施するための形態】
【００４３】
以下に添付図面を参照して、この発明にかかる半導体装置の好適な実施の形態を詳細に説明する。本明細書および添付図面においては、ｎまたはｐを冠記した層や領域では、それぞれ電子または正孔が多数キャリアであることを意味する。また、ｎやｐに付す＋および−は、それぞれそれが付されていない層や領域よりも高不純物濃度および低不純物濃度であることを意味する。なお、以下の実施の形態の説明および添付図面において、同様の構成には同一の符号を付し、重複する説明を省略する。
【００４４】
（実施の形態１）
実施の形態１にかかる半導体装置は、シリコン（Ｓｉ）よりもバンドギャップが広い半導体（ワイドバンドギャップ半導体）を半導体材料として用いて構成される。実施の形態１にかかる半導体装置の構造について、ワイドバンドギャップ半導体として例えば炭化珪素（ＳｉＣ）を用いた場合を例に説明する。図１は、実施の形態１にかかる半導体装置を半導体基板のおもて面側から見たレイアウトを示す平面図である。
【００４５】
図１には、センス有効領域（第２有効領域）１２ａのｐ型ベース領域（第２の第２導電型領域）３４ｂと、低ライフタイム領域６３と、を異なるハッチングで示す（図１１〜１６，１９〜２３においても同様）。低ライフタイム領域６３の内周は、メイン無効領域１ｂのｐ型ベース領域（第３の第２導電型領域）３４ｂ’の内周と略同じである。ｐ型ベース領域３４ｂ’の外周は、メイン無効領域１ｂの外周よりも若干小さい矩形かつ破線で示すが、メイン無効領域１ｂの外周と同じである（図１１〜１６，１９〜２３においても同様）。
【００４６】
図１に示す実施の形態１にかかる半導体装置２０は、同一の半導体基板（半導体チップ）１０の活性領域１に、メイン半導体素子（第１絶縁ゲート型電界効果トランジスタ）１１と、当該メイン半導体素子１１を保護・制御するための１つ以上の回路部を有する。メイン半導体素子１１は、オン状態で、半導体基板１０の深さ方向Ｚにドリフト電流が流れる縦型ＭＯＳＦＥＴである。メイン半導体素子１１は、ソースパッド（第１ソースパッド）２１ａにより互いに並列接続された複数の単位セル（素子の機能単位）で構成される。
【００４７】
メイン半導体素子１１の単位セルは、半導体基板１０のおもて面に平行な方向に互いに隣接して配置されている。メイン半導体素子１１は、実施の形態１にかかる半導体装置２０の主動作を行う。メイン半導体素子１１は、活性領域１の有効領域（メイン有効領域：第１有効領域）１ａに配置されている。メイン有効領域１ａは、メイン半導体素子１１のオン時にメイン半導体素子１１の主電流が流れる領域である。メイン有効領域１ａは、例えば略矩形状の平面形状を有し、活性領域１の大半の表面積を占めている。
【００４８】
メイン半導体素子１１を保護・制御するための回路部は、例えば、電流センス部（第２絶縁ゲート型電界効果トランジスタ）１２、温度センス部１３、過電圧保護部（不図示）
および演算回路部（不図示）等の高機能部であり、活性領域１のメイン無効領域１ｂに配置される。メイン無効領域１ｂは、メイン半導体素子１１の単位セルが配置されていない領域であり、メイン半導体素子１１として機能しない。メイン無効領域１ｂは、例えば略矩形状の平面形状を有し、メイン有効領域１ａとエッジ終端領域２との間に配置される。
【００４９】
エッジ終端領域２は、活性領域１と半導体基板１０の端部との間の領域であり、活性領域１の周囲を囲み、半導体基板１０のおもて面側の電界を緩和して耐圧を保持する。エッジ終端領域２には、例えばフィールドリミッティングリング（ＦＬＲ：Ｆｉｅｌｄ  Ｌｉｍｉｔｉｎｇ  Ｒｉｎｇ）や接合終端（ＪＴＥ：Ｊｕｎｃｔｉｏｎ  Ｔｅｒｍｉｎａｔｉｏｎ  Ｅｘｔｅｎｓｉｏｎ）構造等の耐圧構造（不図示）が配置される。耐圧とは、素子が誤動作や破壊を起こさない限界の電圧である。
【００５０】
メイン半導体素子１１のソースパッド（電極パッド）２１ａは、メイン有効領域１ａにおいて半導体基板１０のおもて面上に配置される。メイン半導体素子１１は、他の回路部に比べて電流能力が大きい。このため、メイン半導体素子１１のソースパッド２１ａは、メイン有効領域１ａと略同じ平面形状を有し、メイン有効領域１ａのほぼ全面を覆う。メイン半導体素子１１のソースパッド２１ａは、当該ソースパッド２１ａ以外の電極パッドと離れて配置されている。
【００５１】
ソースパッド２１ａ以外の電極パッドは、エッジ終端領域２から離れて、メイン無効領域１ｂにおいて半導体基板１０のおもて面上に互いに離れて配置される。ソースパッド２１ａ以外の電極パッドとは、メイン半導体素子１１のゲートパッド２１ｂ、電流センス部１２の電極パッド（以下、ＯＣパッド（第２ソースパッド）とする）２２、温度センス部１３の電極パッド（以下、アノードパッドおよびカソードパッドとする）２３ａ，２３ｂ、過電圧保護部の電極パッド（以下、ＯＶパッドとする：不図示）、および演算回路部の電極パッド（不図示）等である。
【００５２】
ソースパッド２１ａ以外の電極パッドは、例えば略矩形状の平面形状であり、後述する端子ピン４８ｂ〜４８ｄやワイヤーの接合に必要な表面積を有する。図１には、ソースパッド２１ａ以外の電極パッドがメイン無効領域１ｂとエッジ終端領域２との境界に沿って一列に配置された場合を示す（図１１〜１６，１９〜２３においても同様）。また、図１には、ソースパッド２１ａ、ゲートパッド２１ｂ、ＯＣパッド２２、アノードパッド２３ａおよびカソードパッド２３ｂを、それぞれＳ、Ｇ、ＯＣ、ＡおよびＫと付した矩形状に図示する（図１１〜１６，１９〜２３においても同様）。
【００５３】
電流センス部１２は、メイン半導体素子１１と同じ条件で動作して、メイン半導体素子１１に流れる過電流（ＯＣ：Ｏｖｅｒ  Ｃｕｒｒｅｎｔ）を検出する機能を有する。電流センス部１２は、メイン半導体素子１１と離れて配置されている。電流センス部１２は、メイン半導体素子１１と同一構成の単位セルを、メイン半導体素子１１の単位セルの個数（例えば１万個程度）よりも少ない個数（例えば１０個程度）で備えた縦型ＭＯＳＦＥＴであり、メイン半導体素子１１よりも表面積が小さい。
【００５４】
電流センス部１２の単位セルは、ＯＣパッド２２の直下の一部の領域（以下、センス有効領域とする）１２ａに配置されている。センス有効領域１２ａは、例えば矩形状の平面形状を有する。電流センス部１２の単位セルは、半導体基板１０のおもて面に平行な方向に互いに隣接して配置される。電流センス部１２の単位セルが互いに隣接する方向は、例えば、メイン半導体素子１１の単位セルが互いに隣接する方向と同じである。電流センス部１２の単位セルは、ＯＣパッド２２により互いに並列接続されている。
【００５５】
また、ＯＣパッド２２の直下において、センス有効領域１２ａを除く領域は、電流センス部１２として機能しないセンス無効領域１２ｂである。センス無効領域１２ｂには、電流センス部１２の単位セルが配置されていない。センス無効領域１２ｂのほぼ全域において、半導体基板１０のおもて面の表面領域には、ｐ型ベース領域３４ｂ’が設けられている。ｐ型ベース領域３４ｂ’は、センス有効領域１２ａと離れて配置され、センス有効領域１２ａの周囲を略矩形状に囲む。
【００５６】
ｐ型ベース領域３４ｂ’は、例えば、メイン無効領域１ｂのセンス有効領域１２ａを除く領域のほぼ全域へ延在し、ソースパッド２１ａ以外の電極パッド直下にも配置されている。ｐ型ベース領域３４ｂ’は、メイン無効領域１ｂのセンス有効領域１２ａを除く、半導体基板１０のおもて面のほぼ全面を絶縁膜（後述するフィールド絶縁膜８０：図２，３参照）で覆われた領域において半導体基板１０のおもて面内で電界を均一にして耐圧を向上させる機能を有する。
【００５７】
ｐ型ベース領域３４ｂ’は、メイン半導体素子１１のｐ型ベース領域（第１の第２導電型領域）３４ａに連結され、メイン半導体素子１１のソース電位に固定されている。このため、ｐ型ベース領域３４ｂ’は、ｎ-型ドリフト領域（第１の第１導電型領域）３２とのｐｎ接合で、メイン無効領域１ｂにメイン半導体素子１１の寄生ダイオード１６（１６ｂ）を形成する。
【００５８】
ｐ型ベース領域３４ｂ’は、半導体基板１０の表面領域の図示省略するｎ-型領域により、素子分離のためのｐ型領域（不図示）と分離されている。素子分離のためのｐ型領域とは、エッジ終端領域２に活性領域１の周囲を囲む略矩形状に設けられ、活性領域１とエッジ終端領域２とを電気的に分離する寄生ダイオードをｎ-型ドリフト領域３２とのｐｎ接合で形成するフローティングのｐ型領域である。
【００５９】
ｐ型ベース領域３４ｂ’が素子分離のためのｐ型領域と分離されていることで、活性領域１のメイン無効領域１ｂに形成される後述する寄生ダイオード１６ｂのターンオフ時に、エッジ終端領域２のｎ-型ドリフト領域３２中で発生して、半導体基板１０の裏面側からメイン無効領域１ｂへ流れ込む正孔電流が電流センス部１２に集中することを抑制することができる。ｐ型ベース領域３４ｂ’の表面積を大きくするほど、当該寄生ダイオード１６ｂの順方向電圧（電圧降下）を高くすることができる。
【００６０】
また、ｐ型ベース領域３４ｂ’は、ｎ-型領域（第３の第１導電型領域）３２ｂによりセンス有効領域１２ａのｐ型ベース領域３４ｂと分離されている。ｎ-型領域３２ｂは、センス無効領域１２ｂのｐ型ベース領域３４ｂ’とセンス有効領域１２ａのｐ型ベース領域３４ｂとの間に配置され、センス有効領域１２ａの周囲を略矩形状に囲む。センス無効領域１２ｂのｐ型ベース領域３４ｂ’とセンス有効領域１２ａのｐ型ベース領域３４ｂとの距離ｗ１は例えば０．１μｍ以上であり、かつ可能な限り狭いことが好ましい。
【００６１】
その理由は、次の通りである。センス無効領域１２ｂのｐ型ベース領域３４ｂ’とセンス有効領域１２ａのｐ型ベース領域３４ｂとの距離ｗ１が広くなるほど、これらｐ型ベース領域３４ｂ’，３４ｂ間に配置されたｎ-型領域３２ｂの表面積が大きくなる。ｎ-型領域３２ｂを覆う部分ではフィールド絶縁膜８０に局所的に電界が集中して耐圧が低下するため、当該距離ｗ１を可能な限り狭くして、ｎ-型領域３２ｂの表面積を可能な限り小さくすることで、メイン無効領域１ｂでの耐圧低下を抑制することができるからである。
【００６２】
また、センス無効領域１２ｂには、ｎ-型ドリフト領域３２の内部に、ｎ-型ドリフト領域３２よりも少数キャリア（正孔）のライフタイムが短い領域（以下、低ライフタイム領域とする）６３が設けられている。低ライフタイム領域６３は、少数キャリアのライフタイムキラーとなる不純物として、例えば、ヘリウム（Ｈｅ）またはプロトン（Ｈ+）を１×１０11／ｃｍ2以上１×１０13／ｃｍ2以下程度のドーズ量で含む。低ライフタイム領域６３は、メイン無効領域１ｂでのキャリアの再結合を促進し、メイン無効領域１ｂに形成される寄生ダイオード１６ｂの順方向電圧を、センス有効領域１２ａに形成される寄生ダイオード１７の順方向電圧よりも高くする機能を有する。
【００６３】
低ライフタイム領域６３は、センス有効領域１２ａの周囲を略矩形状に囲む。低ライフタイム領域６３は、ｎ-型領域３２ｂによりセンス有効領域１２ａのｐ型ベース領域３４ｂと分離されている。低ライフタイム領域６３は、メイン無効領域１ｂの、センス有効領域１２ａを除く領域のほぼ全域へ延在し、ＯＣパッド２２以外の電極パッド直下にも配置されている。低ライフタイム領域６３は、メイン無効領域１ｂから、エッジ終端領域２の、メイン無効領域１ｂに隣接する部分へ延在していてもよい。図１には、低ライフタイム領域６３がエッジ終端領域２側へ延在して、半導体基板１０の端部（チップ端部）まで達している状態を示す（図１１〜１５においても同様）。
【００６４】
温度センス部１３は、ダイオードの温度特性を利用してメイン半導体素子１１の温度を検出する機能を有する。温度センス部１３は、アノードパッド２３ａおよびカソードパッド２３ｂの直下に配置されている。温度センス部１３は、例えば、半導体基板１０のおもて面のフィールド絶縁膜８０上に設けられたポリシリコン（ｐｏｌｙ−Ｓｉ）層で構成されてもよいし、半導体基板１０の内部に形成されたｐ型領域とｎ型領域とのｐｎ接合で形成されてもよい。
【００６５】
過電圧保護部（不図示）は、例えばサージ等の過電圧（ＯＶ：Ｏｖｅｒ  Ｖｏｌｔａｇｅ）からメイン半導体素子１１を保護するダイオードである。電流センス部１２、温度センス部１３および過電圧保護部は、演算回路部により制御される。電流センス部１２、温度センス部１３および過電圧保護部の出力信号に基づいてメイン半導体素子１１が制御される。演算回路部は、ＣＭＯＳ（Ｃｏｍｐｌｅｍｅｎｔａｒｙ  ＭＯＳ：相補型ＭＯＳ）
回路など複数の半導体素子で構成される。
【００６６】
次に、実施の形態１にかかる半導体装置２０の活性領域１の断面構造について説明する。図２，３は、図１の活性領域の断面構造を示す断面図である。図２には、メイン有効領域１ａおよび電流センス部１２の断面構造（切断線Ｘ１−Ｘ２−Ｘ３−Ｘ４−Ｘ５における断面構造）を示す。図３には、メイン有効領域１ａ、センス無効領域１２ｂおよび温度センス部１３の断面構造（切断線Ｘ１−Ｘ２−Ｘ３および切断線Ｙ１−Ｙ２における断面構造）を示す。
【００６７】
図２，３では、メイン有効領域１ａおよびセンス有効領域１２ａでそれぞれ単位セルの一部のみを示すが、メイン有効領域１ａおよびセンス有効領域１２ａの単位セルはすべて同じ構造を有する。また、図２，３では、ゲートパッド２１ｂ直下における断面構造を図示省略するが、ゲートパッド２１ｂ直下の断面構造はアノードパッド２３ａおよびカソードパッド２３ｂ直下の断面構造と同じである。図３では、センス有効領域１２ａを図示省略する。
【００６８】
メイン半導体素子１１は、メイン有効領域１ａにおいて半導体基板１０のおもて面側にＭＯＳゲート（金属−酸化膜−半導体の３層構造からなる絶縁ゲート）を備えた縦型ＭＯＳＦＥＴである。ここでは、メイン半導体素子１１、および、メイン半導体素子１１を保護・制御する回路部がピン状の配線部材（後述する端子ピン４８ａ〜４８ｄ）を用いた同一構成の配線構造を有する場合を例に説明するが、ピン状の配線部材に代えて、ワイヤーを用いた配線構造を有していてもよい。
【００６９】
半導体基板１０は、炭化珪素からなるｎ+型出発基板３１のおもて面上にｎ-型ドリフト領域３２およびｐ型ベース領域３４ａとなる各炭化珪素層７１，７２を順にエピタキシャル成長させたエピタキシャル基板である。メイン半導体素子１１は、半導体基板１０のおもて面側に設けられたｐ型ベース領域３４ａ、ｎ+型ソース領域３５ａ、ｐ++型コンタクト領域３６ａ、トレンチ３７ａ、ゲート絶縁膜３８ａおよびゲート電極３９ａで構成される一般的なＭＯＳゲートを有する。
【００７０】
トレンチ３７ａは、半導体基板１０のおもて面（ｐ型炭化珪素層７２の表面）から深さ方向Ｚにｐ型炭化珪素層７２を貫通してｎ-型炭化珪素層７１に達する。トレンチ３７ａは、例えば、半導体基板１０のおもて面に平行な方向に延びるストライプ状に配置されていてもよいし、半導体基板１０のおもて面側から見てマトリクス状に配置されていてもよい。図２，３には、電極パッド２１ｂ，２３ａ，２３ｂ，２２が並ぶ第１方向Ｘ（図１参照）に延びるストライプ状のトレンチ３７ａを示す。符号Ｙは、半導体チップのおもて面に平行でかつ第１方向と直交する方向である。
【００７１】
トレンチ３７ａの内部には、ゲート絶縁膜３８ａを介してゲート電極３９ａが設けられている。互いに隣り合う２つのトレンチ３７ａ間（メサ領域）において、半導体基板１０のおもて面の表面領域に、ｐ型ベース領域３４ａ、ｎ+型ソース領域３５ａおよびｐ++型コンタクト領域３６ａがそれぞれ選択的に設けられている。ｎ+型ソース領域３５ａおよびｐ++型コンタクト領域３６ａは、半導体基板１０のおもて面とｐ型ベース領域３４ａの間に設けられている。ｎ+型ソース領域３５ａは、ｐ++型コンタクト領域３６ａよりもトレンチ３７ａ側に設けられている。
【００７２】
ｎ+型ソース領域３５ａは、メイン有効領域１ａの端部には配置されていない。メイン有効領域１ａの端部とは、メイン有効領域１ａの、第２方向Ｙに最も外側のトレンチ３７ａよりも外側の部分、および、第１方向Ｘにトレンチ３７ａの端部よりも外側の部分である。ｐ++型コンタクト領域３６ａは設けられていなくてもよい。ｐ++型コンタクト領域３６ａが設けられていない場合、ｎ+型ソース領域３５ａよりもトレンチ３７ａから離れた箇所で、ｐ型ベース領域３４ａが半導体基板１０のおもて面まで達し、半導体基板１０のおもて面に露出されている。
【００７３】
半導体基板１０の内部において、ｐ型ベース領域３４ａよりもｎ+型ドレイン領域（ｎ+型出発基板３１：第２の第１導電型領域）に近い位置に、ｐ型ベース領域３４ａに接して、ｎ-型ドリフト領域３２が設けられている。ｐ型ベース領域３４ａとｎ-型ドリフト領域３２との間に、これらの領域に接して、ｎ型電流拡散領域３３ａが設けられていてもよい。ｎ型電流拡散領域３３ａは、キャリアの広がり抵抗を低減させる、いわゆる電流拡散層（Ｃｕｒｒｅｎｔ  Ｓｐｒｅａｄｉｎｇ  Ｌａｙｅｒ：ＣＳＬ）である。
【００７４】
また、半導体基板１０の内部において、ｐ型ベース領域３４ａよりもｎ+型ドレイン領域に近い位置に、第１，２ｐ+型領域６１ａ，６２ａが設けられていてもよい。第１ｐ+型領域６１ａは、ｐ型ベース領域３４ａと離して設けられ、深さ方向Ｚにトレンチ３７ａの底面に対向する。第２ｐ+型領域６２ａは、第１ｐ+型領域６１ａおよびトレンチ３７ａと離してメサ領域に設けられ、ｐ型ベース領域３４ａに接する。第１，２ｐ+型領域６１ａ，６２ａは、トレンチ３７ａの底面にかかる電界を緩和させる機能を有する。
【００７５】
層間絶縁膜４０は、半導体基板１０のおもて面全面に設けられ、ゲート電極３９ａを覆う。メイン半導体素子１１のすべてのゲート電極３９ａは、図示省略する部分で、ゲートランナー（不図示）を介してゲートパッド２１ｂ（図１参照）に電気的に接続されている。ゲートランナーは、エッジ終端領域２において半導体基板のおもて面上にフィールド絶縁膜８０を介して設けられ、活性領域１の周囲を略矩形状に囲むゲートポリシリコン層である。
【００７６】
層間絶縁膜４０を深さ方向Ｚに貫通して半導体基板１０に達する第１コンタクトホール４０ａには、メイン半導体素子１１のｎ+型ソース領域３５ａおよびｐ++型コンタクト領域３６ａが露出されている。第１コンタクトホール４０ａの内部において、半導体基板１０のおもて面上に、ニッケルシリサイド（ＮｉＳｉ、Ｎｉ2Ｓｉまたは熱的に安定なＮｉＳｉ2：以下、まとめてＮｉＳｉとする）膜４１ａが設けられている。
【００７７】
ＮｉＳｉ膜４１ａは、第１コンタクトホール４０ａの内部において半導体基板１０にオーミック接触し、ｎ+型ソース領域３５ａおよびｐ++型コンタクト領域３６ａに電気的に接続されている。ｐ++型コンタクト領域３６ａが設けられていない場合には、ｐ++型コンタクト領域３６ａに代えて、ｐ型ベース領域３４ａが第１コンタクトホール４０ａに露出され、ＮｉＳｉ膜４１ａに電気的に接続される。
【００７８】
メイン有効領域１ａにおいて、層間絶縁膜４０およびＮｉＳｉ膜４１ａの表面全体に、バリアメタル４６ａが設けられている。バリアメタル４６ａは、バリアメタル４６ａの各金属膜間またはバリアメタル４６ａを挟んで対向する領域間での相互反応を防止する機能を有する。バリアメタル４６ａは、例えば、第１窒化チタン（ＴｉＮ）膜４２ａ、第１チタン（Ｔｉ）膜４３ａ、第２ＴｉＮ膜４４ａおよび第２Ｔｉ膜４５ａを順に積層した積層構造を有していてもよい。
【００７９】
第１ＴｉＮ膜４２ａは、層間絶縁膜４０の表面のみに設けられ、層間絶縁膜４０の表面全体を覆う。第１Ｔｉ膜４３ａは、第１ＴｉＮ膜４２ａおよびＮｉＳｉ膜４１ａの表面に設けられている。第２ＴｉＮ膜４４ａは、第１Ｔｉ膜４３ａの表面に設けられている。第２Ｔｉ膜４５ａは、第２ＴｉＮ膜４４ａの表面に設けられている。バリアメタル４６ａは、例えば、温度センス部１３には設けられていない。
【００８０】
ソースパッド２１ａは、第１コンタクトホール４０ａに埋め込まれ、かつ第２Ｔｉ膜４５ａの表面全面に設けられている。ソースパッド２１ａは、バリアメタル４６ａおよびＮｉＳｉ膜４１ａを介してｎ+型ソース領域３５ａおよびｐ型ベース領域３４ａに電気的に接続され、メイン半導体素子１１のソース電極として機能する。ソースパッド２１ａは、例えば、５μｍ程度の厚さのアルミニウム（Ａｌ）膜またはＡｌ合金膜である。
【００８１】
具体的には、ソースパッド２１ａをＡｌ合金膜とする場合、ソースパッド２１ａは、例えば、シリコンを全体の５％以下程度含むアルミニウム−シリコン（Ａｌ−Ｓｉ）膜であってもよいし、シリコンを全体の５％以下程度および銅（Ｃｕ）を全体の５％以下程度含むアルミニウム−シリコン−銅（Ａｌ−Ｓｉ−Ｃｕ）膜であってもよいし、銅を全体の５％以下程度含むアルミニウム−銅（Ａｌ−Ｃｕ）膜であってもよい。
【００８２】
ソースパッド２１ａ上には、めっき膜４７ａおよびはんだ層（不図示）を介して、端子ピン４８ａの一方の端部が接合されている。端子ピン４８ａの他方の端部は、半導体基板１０のおもて面に対向するように配置された金属バー（不図示）に接合されている。また、端子ピン４８ａの他方の端部は、半導体基板１０を実装したケース（不図示）の外側に露出し、外部装置（不図示）と電気的に接続される。端子ピン４８ａは、所定直径を有する丸棒状（円柱状）の配線部材である。
【００８３】
端子ピン４８ａは、半導体基板１０のおもて面に対して略垂直に立てた状態でめっき膜４７ａにはんだ接合されている。端子ピン４８ａは、ソースパッド２１ａの電位を外部に取り出す外部接続用端子であり、外部の接地電位（最低電位）に接続されている。ソースパッド２１ａの表面のめっき膜４７ａ以外の部分は第１保護膜４９ａで覆われ、めっき膜４７ａと第１保護膜４９ａとの境界は第２保護膜５０ａで覆われている。第１，２保護膜４９ａ，５０ａは例えばポリイミド膜である。
【００８４】
ドレイン電極５１は、半導体基板１０の裏面（ｎ+型出発基板３１の裏面）全面にオーミック接触している。ドレイン電極５１上には、例えば、Ｔｉ膜、ニッケル（Ｎｉ）膜および金（Ａｕ）膜を順に積層した積層構造でドレインパッド（電極パッド：不図示）が設けられている。ドレインパッドは、金属ベース板（不図示）にはんだ接合され、当該金属ベース板を介して冷却フィン（不図示）のベース部に少なくとも一部が接触している。
【００８５】
このように半導体基板１０のおもて面に端子ピン４８ａを接合し、かつ裏面を金属ベース板に接合することで、実施の形態１にかかる半導体装置２０は、半導体基板１０の両面それぞれに冷却構造を備えた両面冷却構造となっている。すなわち、半導体基板１０で発生した熱は、半導体基板１０の裏面に金属ベース板を介して接触させた冷却フィンのフィン部から放熱され、かつ半導体基板１０のおもて面の端子ピン４８ａを接合した金属バーから放熱される。
【００８６】
電流センス部１２は、メイン半導体素子１１の対応する各部と同じ構成のｐ型ベース領域３４ｂ、ｎ+型ソース領域３５ｂ、ｐ++型コンタクト領域３６ｂ、トレンチ３７ｂ、ゲート絶縁膜３８ｂ、ゲート電極３９ｂおよび層間絶縁膜４０を備える。電流センス部１２のＭＯＳゲートの各部は、メイン無効領域１ｂのセンス有効領域１２ａに設けられている。電流センス部１２のｐ型ベース領域３４ｂは、メイン半導体素子１１のｐ型ベース領域３４ａと同様にｐ型炭化珪素層７２で構成されている。
【００８７】
電流センス部１２においても、メイン半導体素子１１と同様に、ｎ+型ソース領域３５ｂは、センス有効領域１２ａの端部には配置されていない。センス有効領域１２ａの端部とは、センス有効領域１２ａの、第２方向Ｙに最も外側のトレンチ３７ｂよりも外側の部分、および、第１方向Ｘにトレンチ３７ｂの端部よりも外側の部分である。図２には、センス有効領域１２ａに、電流センス部１２の１つの単位セルを示す（図１７においても同様）。ｐ++型コンタクト領域３６ｂは設けられていなくてもよい。
【００８８】
電流センス部１２は、メイン半導体素子１１と同様に、ｎ型電流拡散領域３３ｂおよび第１，２ｐ+型領域６１ｂ，６２ｂを有していてもよい。電流センス部１２のゲート電極３９ｂは、ゲートランナー（不図示）を介してゲートパッド２１ｂ（図１参照）に電気的に接続されている。電流センス部１２のゲート電極３９ｂは、層間絶縁膜４０に覆われている。
【００８９】
センス有効領域１２ａにおいて層間絶縁膜４０には、深さ方向Ｚに貫通して半導体基板１０に達する第２コンタクトホール４０ｂが設けられている。第２コンタクトホール４０ｂには、電流センス部１２のｎ+型ソース領域３５ｂおよびｐ++型コンタクト領域３６ｂが露出されている。第２コンタクトホール４０ｂの内部には、メイン半導体素子１１と同様に、ｎ+型ソース領域３５ｂおよびｐ++型コンタクト領域３６ｂに電気的に接続されたＮｉＳｉ膜４１ｂが設けられている。
【００９０】
ｐ++型コンタクト領域３６ｂが設けられていない場合には、ｐ++型コンタクト領域３６ｂに代えて、ｐ型ベース領域３４ｂが第２コンタクトホール４０ｂに露出され、ＮｉＳｉ膜４１ｂに電気的に接続される。センス有効領域１２ａにおいて層間絶縁膜４０の表面全面およびＮｉＳｉ膜４１ｂの表面全面に、メイン半導体素子１１と同様にバリアメタル４６ｂが設けられている。符号４２ｂ〜４５ｂは、それぞれバリアメタル４６ｂを構成する第１ＴｉＮ膜、第１Ｔｉ膜、第２ＴｉＮ膜および第２Ｔｉ膜である。
【００９１】
ＯＣパッド２２は、第２コンタクトホール４０ｂに埋め込まれるように、バリアメタル４６ｂの表面全面に設けられている。ＯＣパッド２２は、バリアメタル４６ｂおよびＮｉＳｉ膜４１ｂを介して電流センス部１２のｎ+型ソース領域３５ｂおよびｐ型ベース領域３４ｂに電気的に接続されている。ＯＣパッド２２は、電流センス部１２のソース電極として機能する。ＯＣパッド２２は、例えば、ソースパッド２１ａと同じ材料で形成されている。
【００９２】
メイン無効領域１ｂのセンス無効領域１２ｂにおいて、半導体基板のおもて面の表面領域に、上述したようにｐ型ベース領域３４ｂ’が設けられている。ｐ型ベース領域３４ｂ’は、メイン半導体素子１１のｐ型ベース領域３４ａと同様に、ｐ型炭化珪素層７２で構成されている。ｐ型ベース領域３４ｂ’は、メイン半導体素子１１のｐ型ベース領域３４ａおよび素子分離のためのｐ型領域（不図示）と、電流センス部１２のｐ型ベース領域３４ｂと、の間に配置されている。
【００９３】
ｐ型ベース領域３４ｂ’は、上述したように、ｎ-型領域３２ｂを介して電流センス部１２のｐ型ベース領域３４ｂの周囲を囲み、当該ｎ-型領域３２ｂにより電流センス部１２のｐ型ベース領域３４ｂと分離され、図示省略するｎ-型領域により素子分離のためのｐ型領域と分離されている。ｎ-型領域３２ｂは、例えばｐ型炭化珪素層７２を深さ方向Ｚに貫通してｎ-型炭化珪素層７１に達する拡散領域であり、半導体基板１０のおもて面の表面領域に設けられている。ｐ型ベース領域３４ｂ’とｎ-型ドリフト領域３２との間に、これらの領域３４ｂ’，３２に接して、第２ｐ+型領域６２ｂ’が設けられていてもよい。
【００９４】
ｐ型ベース領域３４ｂ’は、メイン無効領域１ｂの、ＯＣパッド２２の直下を除く領域のほぼ全域に延在している。ｐ型ベース領域３４ｂ’は、上述したように、メイン有効領域１ａとセンス有効領域１２ａとの間において、メイン半導体素子１１のｐ型ベース領域３４ａに連結され、メイン半導体素子１１のソース電位に固定されている。また、メイン無効領域１ｂにおいてｎ-型ドリフト領域３２の内部には、上述したように、低ライフタイム領域６３が、センス有効領域１２ａと離れて設けられ、メイン無効領域１ｂの、センス有効領域１２ａを除く領域のほぼ全域へ延在している。
【００９５】
低ライフタイム領域６３は、メイン無効領域１ｂに形成される寄生ダイオード１６ｂのターンオン時に高電界がかかる箇所を内部に含む。具体的には、寄生ダイオード１６ｂのターンオン時、メイン無効領域１ｂにおいて半導体基板１０中にかかる電界は、ｐ型ベース領域３４ｂ’および第２ｐ+型領域６２ｂ’とｎ-型ドリフト領域３２とのｐｎ接合でピーク値（最大値）となる。このため、低ライフタイム領域６３は、ｐ型ベース領域３４ｂ’および第２ｐ+型領域６２ｂ’とｎ-型ドリフト領域３２とのｐｎ接合を内部に含むことが好ましく、好適には当該ｐｎ接合の全面を内部に含むことがよい。
【００９６】
メイン無効領域１ｂの、センス有効領域１２ａを除く領域、および、エッジ終端領域２には、半導体基板１０のおもて面上の全面に、一様な厚さでフィールド絶縁膜８０が設けられている。センス無効領域１２ｂにおいて、フィールド絶縁膜８０上には、センス有効領域１２ａからバリアメタル４６ｂおよびＯＣパッド２２が延在している。センス無効領域１２ｂにおいて、ＯＣパッド２２上に、ソースパッド２１ａ上の配線構造と同じ配線構造で、端子ピン４８ｂが接合される。端子ピン４８ｂは、端子ピン４８ａよりも小さい直径を有する丸棒状（円柱状）の配線部材である。
【００９７】
端子ピン４８ｂは、例えばＯＣパッド２２の電位を外部に取り出す外部接続用端子であり、外部の抵抗体１５（図４参照）を介してＯＣパッド２２を接地電位に接続する。端子ピン４８ｂをセンス無効領域１２ｂに配置することで、端子ピン４８ｂの接合時に生じる圧力が電流センス部１２の単位セルにかかることを抑制可能である。符号４７ｂ，４９ｂ，５０ｂは、それぞれＯＣパッド２２上の配線構造を構成するめっき膜および第１，２保護膜である。
【００９８】
温度センス部１３は、例えば、ｐ型アノード領域であるｐ型ポリシリコン層８１とｎ型カソード領域であるｎ型ポリシリコン層８２とのｐｎ接合で形成されたポリシリコンダイオードである。ｐ型ポリシリコン層８１およびｎ型ポリシリコン層８２は、メイン無効領域１ｂにおいて、フィールド絶縁膜８０上に設けられている。温度センス部１３は、フィールド絶縁膜８０により、メイン半導体素子１１および電流センス部１２と電気的に絶縁されている。
【００９９】
フィールド絶縁膜８０、ｐ型ポリシリコン層８１およびｎ型ポリシリコン層８２は、層間絶縁膜８３に覆われている。アノードパッド２３ａおよびカソードパッド２３ｂは、それぞれ層間絶縁膜８３の第３，４コンタクトホール８３ａ，８３ｂにおいてｐ型ポリシリコン層８１およびｎ型ポリシリコン層８２に接する。アノードパッド２３ａおよびカソードパッド２３ｂの材料は、例えば、ソースパッド２１ａと同じである。
【０１００】
アノードパッド２３ａ上およびカソードパッド２３ｂ上には、それぞれ、ソースパッド２１ａ上の配線構造と同じ配線構造で端子ピン４８ｃ，４８ｄが接合されている。端子ピン４８ｃ，４８ｄは、それぞれアノードパッド２３ａおよびカソードパッド２３ｂの電位を外部に取り出す外部接続用端子である。端子ピン４８ｃ，４８ｄは、所定の直径を有する丸棒状の配線部材である。
【０１０１】
符号４７ｃ，４７ｄは、それぞれアノードパッド２３ａ上の配線構造およびカソードパッド２３ｂ上の配線構造を構成するめっき膜である。符号４９ｃ，５０ｃは、それぞれ温度センス部１３上の配線構造を構成する第１，２保護膜である。温度センス部１３の直下において、半導体基板１０のおもて面の表面領域に、メイン無効領域１ｂの上述したｐ型ベース領域３４ｂ’および第２ｐ+型領域６２ｂ’が延在している。
【０１０２】
図示省略するが、ゲートパッド２１ｂは、フィールド絶縁膜８０上に設けられている。ゲートパッド２１ｂとフィールド絶縁膜８０との間に、バリアメタル４６ａと同じ積層構造でバリアメタルが設けられていてもよい。ゲートパッド２１ｂの材料は、例えばソースパッド２１ａと同じである。ゲートパッド２１ｂ上にも、例えばソースパッド２１ａ上の配線構造と同じ配線構造（不図示）で端子ピンが接合されている。
【０１０３】
ゲートパッド部１４の直下にも、アノードパッド２３ａおよびカソードパッド２３ｂの直下と同様に、半導体基板１０のおもて面の表面領域に、ｐ型ベース領域３４ｂ’、ｐ++型コンタクト領域３６ｃおよび第２ｐ+型領域６２ｂ’が延在している。メイン無効領域１ｂの、ＯＣパッド２２以外の電極パッドの直下において、ｐ型ベース領域３４ｂ’と半導体基板１０のおもて面との間に、ｐ++型コンタクト領域３６ｃが設けられていてもよい。
【０１０４】
実施の形態１にかかる半導体装置２０の動作について説明する。図４は、実施の形態１にかかる半導体装置の等価回路を示す回路図である。図４に示すように、電流センス部１２は、メイン半導体素子１１を構成する複数のＭＯＳＦＥＴの単位セルに並列に接続されている。メイン半導体素子１１に流れるメイン電流に対する電流センス部１２に流れるセンス電流の比率（以下、電流センス比率とする）は、予め設定されている。
【０１０５】
電流センス比率は、例えば、メイン半導体素子１１と電流センス部１２とで単位セルの個数を変える等により設定可能である。電流センス部１２には、電流センス比率に応じてメイン半導体素子１１を流れるメイン電流よりも小さいセンス電流が流れる。メイン半導体素子１１のソースは、接地電位の接地点ＧＮＤに接続されている。電流センス部１２のソースと接地点ＧＮＤとの間には、外部部品である抵抗体１５が接続されている。
【０１０６】
メイン半導体素子１１のソース電極（ソースパッド２１ａ）に対して正の電圧がドレイン電極５１に印加された状態で、メイン半導体素子１１のゲート電極３９ａにしきい値電圧以上の電圧が印加されると、メイン半導体素子１１のｐ型ベース領域３４ａの、ｎ+型ソース領域３５ａとｎ型電流拡散領域３３ａとに挟まれた部分にｎ型の反転層（チャネル）が形成される。それによって、メイン半導体素子１１のドレインからソースへ向かってメイン電流が流れ、メイン半導体素子１１がオンする。
【０１０７】
このとき、メイン半導体素子１１と同じ条件で、電流センス部１２のソース電極（ＯＣパッド２２）に対して正の電圧がドレイン電極５１に印加された状態で、電流センス部１２のゲート電極３９ｂにしきい値電圧以上の電圧が印加されると、センス有効領域１２ａのｐ型ベース領域３４ｂの、ｎ+型ソース領域３５ｂとｎ型電流拡散領域３３ｂとに挟まれた部分にｎ型の反転層が形成される。それによって、電流センス部１２のドレインからソースへ向かってセンス電流が流れ、電流センス部１２がオンする。
【０１０８】
センス電流は、電流センス部１２のソースに接続された抵抗体１５を通って接地点ＧＮＤへと流れる。これによって、抵抗体１５で電圧降下が生じる。メイン半導体素子１１に過電流が印加された場合、メイン半導体素子１１に過電流の大きさに応じて電流センス部１２のセンス電流が大きくなり、抵抗体１５での電圧降下も大きくなる。この抵抗体１５での電圧降下の大きさを監視することで、メイン半導体素子１１での過電流を検知可能である。
【０１０９】
一方、メイン半導体素子１１のゲート電極３９ａにしきい値電圧未満の電圧が印加されたときには、メイン半導体素子１１の第１，２ｐ+型領域６１ａ，６２ａとｎ型電流拡散領域３３ａおよびｎ-型ドリフト領域３２との間のｐｎ接合が逆バイアスされる。電流センス部１２のゲート電極３９ｂにもしきい値電圧未満の電圧が印加され、電流センス部１２の第１，２ｐ+型領域６１ｂ，６２ｂとｎ型電流拡散領域３３ｂおよびｎ-型ドリフト領域３２との間のｐｎ接合も逆バイアスされる。これによって、メイン半導体素子１１のメイン電流および電流センス部１２のセンス電流が遮断され、メイン半導体素子１１および電流センス部１２はオフ状態を維持する。
【０１１０】
メイン半導体素子１１のオフ時に、メイン半導体素子１１のソース電極に対して負の電圧がドレイン電極５１に印加されると、活性領域１のメイン有効領域１ａのｐ型ベース領域３４ａおよび第１，２ｐ+型領域６１ａ，６２ａとｎ型電流拡散領域３３ａおよびｎ-型ドリフト領域３２との間のｐｎ接合で形成される寄生ダイオード１６ａが導通する。さらに、活性領域１のメイン無効領域１ｂのｐ型ベース領域３４ｂ’および第２ｐ+型領域６２ｂ’とｎ-型ドリフト領域３２との間のｐｎ接合（第２ｐ+型領域６２ｂ’が設けられていない場合には、ｐ型ベース領域３４ｂ’とｎ-型ドリフト領域３２とのｐｎ接合）で形成される寄生ダイオード１６ｂが導通する。
【０１１１】
これらの寄生ダイオード１６ａ，１６ｂは、メイン半導体素子１１の寄生ダイオード１６である。メイン半導体素子１１の寄生ダイオード１６の導通時、エッジ終端領域２に素子分離のためのｐ型領域とｎ-型ドリフト領域３２とのｐｎ接合で形成される寄生ダイオードも導通する。電流センス部１２のオフ時にも、電流センス部１２のソース電極に対して負の電圧がドレイン電極５１に印加され、活性領域１のメイン無効領域１ｂのセンス有効領域１２ａのｐ型ベース領域３４ｂおよび第１，２ｐ+型領域６１ｂ，６２ｂとｎ型電流拡散領域３３ｂおよびｎ-型ドリフト領域３２との間のｐｎ接合で形成される寄生ダイオード１７が導通する。
【０１１２】
上述したように、メイン無効領域１ｂには、メイン無効領域１ｂに形成される寄生ダイオード１６ｂのターンオン時に電界がピーク値となる箇所（ｐ型ベース領域３４ｂ’および第２ｐ+型領域６２ｂ’とｎ-型ドリフト領域３２とのｐｎ接合）を含むように、低ライフタイム領域６３が配置されている。メイン無効領域１ｂに形成される寄生ダイオード１６ｂのターンオン時にメイン無効領域１ｂにおいて半導体基板１０の内部にかかる電界は、当該ｐｎ接合からｎ+型ドレイン領域側へ離れるほど低くなる。
【０１１３】
このように低ライフタイム領域６３が配置されていることで、メイン無効領域１ｂに形成される寄生ダイオード１６ｂのターンオン時、メイン無効領域１ｂにおいて高電界がかかる箇所に集中するキャリアの再結合が低ライフタイム領域６３によって促進される。これによって、当該寄生ダイオード１６ｂの順方向電圧がセンス有効領域１２ａに形成される寄生ダイオード１７の順方向電圧よりも高くなる。このため、メイン無効領域１ｂに形成される寄生ダイオード１６ｂのターンオン時に、メイン無効領域１ｂのｎ-型ドリフト領域３２に蓄積される少数キャリア（正孔）の蓄積量を小さくすることができる。
【０１１４】
したがって、メイン半導体素子１１および電流センス部１２がオフからオンにスイッチングして、寄生ダイオード１６ａ，１６ｂ，１７がターンオフしたときに、メイン無効領域１ｂのｎ-型ドリフト領域３２中で発生する正孔電流（メイン半導体素子１１の寄生ダイオード１６の逆回復電流）の電流量を、低ライフタイム領域６３を備えない従来構造（図２６〜２８）と比べて小さくすることができ、センス有効領域１２ａのｐ型ベース領域３４ｂへ過剰に正孔電流が流れ込むことを抑制することができる。
【０１１５】
次に、実施の形態１にかかる半導体装置２０の製造方法について説明する。図５〜１０は、実施の形態１にかかる半導体装置の製造途中の状態を示す断面図である。図５〜１０には、メイン半導体素子１１のみを示すが、メイン半導体素子１１と同一の半導体基板１０に作製（製造）されるすべての素子の各部は例えばメイン半導体素子１１の各部と同時に形成される。電流センス部１２、温度センス部１３およびゲートパッド部１４の各部の形成については図１〜３を参照して説明する。
【０１１６】
まず、図５に示すように、炭化珪素からなるｎ+型出発基板（半導体ウエハ）３１を用意する。ｎ+型出発基板３１は、例えば窒素（Ｎ）ドープの炭化珪素単結晶基板であってもよい。次に、ｎ+型出発基板３１のおもて面に、ｎ+型出発基板３１よりも低濃度に窒素がドープされたｎ-型炭化珪素層７１をエピタキシャル成長させる。メイン半導体素子１１が耐圧３３００Ｖクラスである場合、ｎ-型炭化珪素層７１の厚さｔ１１は、例えば３０μｍ程度であってもよい。
【０１１７】
次に、図６に示すように、フォトリソグラフィおよび例えばＡｌ等のｐ型不純物のイオン注入により、メイン有効領域１ａにおいて、ｎ-型炭化珪素層７１の表面領域に、第１ｐ+型領域６１ａおよびｐ+型領域９１をそれぞれ選択的に形成する。このｐ+型領域９１は、第２ｐ+型領域６２ａの一部である。第１ｐ+型領域６１ａとｐ+型領域９１とは、例えば図１の第１方向Ｘに交互に繰り返し配置される。
【０１１８】
互いに隣り合う第１ｐ+型領域６１ａとｐ+型領域９１との間の距離ｄ２は、例えば１．５μｍ程度であってもよい。第１ｐ+型領域６１ａおよびｐ+型領域９１の深さｄ１および不純物濃度は、例えばそれぞれ０．５μｍ程度および５．０×１０18／ｃｍ3程度であってもよい。そして、第１ｐ+型領域６１ａおよびｐ+型領域９１の形成に用いたイオン注入用マスク（不図示）を除去する。
【０１１９】
次に、フォトリソグラフィおよび例えば窒素等のｎ型不純物のイオン注入により、メイン有効領域１ａの全域にわたって、ｎ-型炭化珪素層７１の表面領域にｎ型領域９２を形成する。ｎ型領域９２は、例えば、第１ｐ+型領域６１ａとｐ+型領域９１との間に、これらの領域に接して形成される。ｎ型領域９２の深さｄ３および不純物濃度は、例えばそれぞれ０．４μｍ程度および１．０×１０17／ｃｍ3程度であってもよい。
【０１２０】
このｎ型領域９２は、ｎ型電流拡散領域３３ａの一部である。ｎ-型炭化珪素層７１の、ｎ型領域９２、第１ｐ+型領域６１ａおよびｐ+型領域９１と、ｎ+型出発基板３１と、に挟まれた部分がｎ-型ドリフト領域３２となる。そして、ｎ型領域９２の形成に用いたイオン注入用マスク（不図示）を除去する。ｎ型領域９２と、第１ｐ+型領域６１ａおよびｐ+型領域９１と、の形成順序を入れ替えてもよい。
【０１２１】
次に、図７に示すように、ｎ-型炭化珪素層７１上にさらに例えば窒素等のｎ型不純物をドープしたｎ-型炭化珪素層を例えば０．５μｍの厚さｔ１２でエピタキシャル成長させて、ｎ-型炭化珪素層７１の厚さを厚くする。
【０１２２】
次に、フォトリソグラフィおよびＡｌ等のｐ型不純物のイオン注入により、ｎ-型炭化珪素層７１の厚さを増した部分７１ａに、ｐ+型領域９１に達する深さでｐ+型領域９３を選択的に形成する。深さ方向Ｚに互いに隣接するｐ+型領域９１，９３同士が連結されて第２ｐ+型領域６２ａが形成される。ｐ+型領域９３の幅および不純物濃度は、例えばｐ+型領域９１と略同じである。そして、ｐ+型領域９３の形成に用いたイオン注入用マスク（不図示）を除去する。
【０１２３】
次に、フォトリソグラフィおよび例えば窒素などのｎ型不純物のイオン注入により、ｎ-型炭化珪素層７１の厚さを増した部分７１ａに、ｎ型領域９２に達する深さでｎ型領域９４を選択的に形成する。ｎ型領域９４の不純物濃度は、例えばｎ型領域９２と略同じである。深さ方向Ｚに互いに隣接するｎ型領域９２，９４同士が連結されてｎ型電流拡散領域３３ａが形成される。ｐ+型領域９３とｎ型領域９４との形成順序を入れ替えてもよい。そして、ｎ型領域９４の形成に用いたイオン注入用マスク（不図示）を除去する。
【０１２４】
次に、図８に示すように、ｎ-型炭化珪素層７１上に、例えばＡｌ等のｐ型不純物をドープしたｐ型炭化珪素層７２をエピタキシャル成長させる。ｐ型炭化珪素層７２の厚さｔ１３および不純物濃度は、例えば、それぞれ１．３μｍ程度および４．０×１０17／ｃｍ3程度であってもよい。これにより、ｎ+型出発基板３１上にエピタキシャル成長によりｎ-型炭化珪素層７１およびｐ型炭化珪素層７２を順に積層した半導体基板（半導体ウエハ）１０が形成される。
【０１２５】
次に、フォトリソグラフィ、イオン注入およびイオン注入用マスクの除去を１組とする工程を異なる条件で繰り返し行い、ｐ型炭化珪素層７２に、メイン有効領域１ａにおいてｎ+型ソース領域３５ａおよびｐ++型コンタクト領域３６ａ（図２参照）をそれぞれ選択的に形成する。
【０１２６】
ｎ+型ソース領域３５ａおよびｐ++型コンタクト領域３６ａの形成順序を入れ替えてもよい。メイン有効領域１ａにおいて、ｎ+型ソース領域３５ａおよびｐ++型コンタクト領域３６ａと、ｎ-型炭化珪素層７１と、に挟まれた部分がｐ型ベース領域３４ａとなる。上述した各イオン注入において、例えばレジスト膜や酸化膜をイオン注入用マスクとして用いてもよい。
【０１２７】
次に、イオン注入で形成した拡散領域（第１，２ｐ+型領域６１ａ，６２ａ、ｎ型電流拡散領域３３ａ、ｎ+型ソース領域３５ａおよびｐ++型コンタクト領域３６ａ）について、不純物活性化のための例えば１７００℃程度の温度で２分間程度の熱処理（活性化アニール）を行う。活性化アニールは、すべての拡散領域の形成後にまとめて１回行ってもよいし、イオン注入により拡散領域を形成するごとに行ってもよい。
【０１２８】
次に、図９に示すように、フォトリソグラフィおよび例えばドライエッチングにより、ｎ+型ソース領域３５ａおよびｐ型ベース領域３４ａを貫通するトレンチ３７ａを形成する。トレンチ３７ａは、例えば、ｎ型電流拡散領域３３ａの内部の第１ｐ+型領域６１ａに達する深さとする。トレンチ３７ａを形成するためのエッチング用マスクには、例えばレジスト膜や酸化膜を用いてもよい。そして、エッチング用マスクを除去する。
【０１２９】
次に、図１０に示すように、半導体基板１０の表面およびトレンチ３７ａの内壁に沿ってゲート絶縁膜３８ａを形成する。ゲート絶縁膜３８ａは、例えば、酸素（Ｏ2）雰囲気中において１０００℃程度の温度で形成した熱酸化膜であってもよいし、高温酸化（ＨＴＯ：Ｈｉｇｈ  Ｔｅｍｐｅｒａｔｕｒｅ  Ｏｘｉｄｅ）による堆積膜であってもよい。次に、トレンチ３７ａの内部において、ゲート絶縁膜３８ａ上に、ゲート電極３９ａとして例えばリンドープのポリシリコン層を形成する。
【０１３０】
メイン半導体素子１１以外のすべての素子（例えば電流センス部１２や、過電圧保護部となる例えば拡散ダイオード、演算回路部を構成するＣＭＯＳ（Ｃｏｍｐｌｅｍｅｎｔａｒｙ  ＭＯＳ：相補型ＭＯＳ））やｎ-型領域３２ｂは、上述したメイン半導体素子１１の各部の形成においてメイン半導体素子１１の対応する各部と同時に、またはメイン半導体素子１１の各部の形成とは異なるタイミングで単独に、半導体基板１０のメイン無効領域１ｂに形成すればよい。
【０１３１】
例えば、半導体基板１０のメイン無効領域１ｂに配置される拡散領域は、メイン半導体素子１１を構成する拡散領域のうちの導電型、不純物濃度および拡散深さの同じ拡散領域と同時に形成すればよい。ｎ-型領域３２ｂにより、センス有効領域１２ａと、メイン無効領域１ｂのｐ型ベース領域３４ｂと、が分離される。また、半導体基板１０に配置される素子のゲートトレンチ、ゲート絶縁膜およびゲート電極は、それぞれメイン半導体素子１１のトレンチ３７ａ、ゲート絶縁膜３８ａおよびゲート電極３９ａと同時に形成すればよい。
【０１３２】
次に、半導体基板１０のおもて面上に、フィールド絶縁膜８０を形成する。次に、フィールド絶縁膜８０上に、ｎ型ポリシリコン層８２となる例えばリンドープのポリシリコン層を堆積し、当該ポリシリコン層の一部をｐ型領域にしてｐ型ポリシリコン層８１とする。次に、当該ポリシリコン層をパターニングしてｐ型ポリシリコン層８１およびｎ型ポリシリコン層８２となる部分のみを残す。
【０１３３】
ｐ型ポリシリコン層８１およびｎ型ポリシリコン層８２の形成と同時に、ゲートランナー（不図示）を形成してもよい。メイン半導体素子１１のゲート電極３９ａの形成時に堆積したｐ型ポリシリコン層の一部で、ゲート電極３９ａと同時にｐ型ポリシリコン層８１を形成してもよい。メイン半導体素子１１のゲート電極３９ａの形成時に堆積したｐ型ポリシリコン層の一部をｎ型領域にしてｎ型ポリシリコン層８２としてもよい。
【０１３４】
次に、半導体基板１０のおもて面全面に層間絶縁膜４０，８３を形成する。層間絶縁膜４０，８３は、例えば、ＰＳＧ（Ｐｈｏｓｐｈｏ  Ｓｉｌｉｃａｔｅ  Ｇｌａｓｓ）であってもよい。層間絶縁膜４０，８３の厚さは、例えば１μｍ程度であってもよい。次に、フォトリソグラフィおよびエッチングにより層間絶縁膜４０およびゲート絶縁膜３８ａ，３８ｂを選択的に除去して、第１，２コンタクトホール４０ａ，４０ｂを形成する。
【０１３５】
このとき、メイン半導体素子１１のｎ+型ソース領域３５ａおよびｐ++型コンタクト領域３６ａを露出する第１コンタクトホール４０ａを形成する。センス有効領域１２ａに、電流センス部１２のｎ+型ソース領域３５ｂおよびｐ++型コンタクト領域３６ｂを露出する第２コンタクトホール４０ｂを形成する。次に、熱処理により層間絶縁膜４０，８３を平坦化（リフロー）する。
【０１３６】
次に、例えばスパッタリングにより、半導体基板１０のおもて面の全面に、第１ＴｉＮ膜４２ａ，４２ｂを形成する。第１ＴｉＮ膜４２ａ，４２ｂは、層間絶縁膜４０，８３の表面全面を覆うとともに、半導体基板１０のおもて面の、第１，２コンタクトホール４０ａ，４０ｂに露出された部分（ｎ+型ソース領域３５ａ，３５ｂおよびｐ++型コンタクト領域３６ａ，３６ｂ）を覆う。
【０１３７】
次に、フォトリソグラフィおよびエッチングにより、第１ＴｉＮ膜４２ａ，４２ｂの、第１，２コンタクトホール４０ａ，４０ｂの内部において半導体基板１０を覆う部分を除去して、ｎ+型ソース領域３５ａ，３５ｂおよびｐ++型コンタクト領域３６ａ，３６ｂを再度露出させる。これによって、第１ＴｉＮ膜４２ａ，４２ｂを、バリアメタル４６ａ，４６ｂとして層間絶縁膜４０，８３の表面全面に残す。
【０１３８】
次に、例えばスパッタリングにより、第１，２コンタクトホール４０ａ，４０ｂに露出される半導体部（半導体基板１０のおもて面）上にＮｉ膜（不図示）を形成する。このとき、第１ＴｉＮ膜４２ａ，４２ｂ上にもＮｉ膜が形成される。次に、例えば９７０℃程度での熱処理により、Ｎｉ膜の、半導体部との接触箇所をシリサイド化して、半導体部にオーミック接触するＮｉＳｉ膜４１ａ，４１ｂを形成する。
【０１３９】
このニッケルのシリサイド化のための熱処理時、層間絶縁膜４０，８３とＮｉ膜との間に第１ＴｉＮ膜４２ａ，４２ｂが配置されていることで、Ｎｉ膜中のニッケル原子の層間絶縁膜４０，８３内への拡散を防止することができる。Ｎｉ膜の、層間絶縁膜４０，８３上の部分は、半導体部に接触していないため、シリサイド化されない。その後、Ｎｉ膜の、層間絶縁膜４０，８３上の部分を除去し、層間絶縁膜４０，８３を露出させる。
【０１４０】
次に、半導体基板１０の裏面に、例えばＮｉ膜を形成する。次に、例えば９７０℃程度での熱処理により、Ｎｉ膜をシリサイド化し、ドレイン電極５１として、ｎ+型ドレイン領域（半導体基板１０の裏面（ｎ+型出発基板３１の裏面））にオーミック接触するＮｉＳｉ膜を形成する。このドレイン電極５１とｎ+型ドレイン領域とのオーミック接触を形成するための熱処理は、半導体基板１０のおもて面のＮｉＳｉ膜４１ａ，４１ｂを形成するための熱処理と同時に行ってもよい。
【０１４１】
ドレイン電極５１とｎ+型ドレイン領域とのオーミック接触を形成するための熱処理は、例えば、レーザーアニールで行う。具体的には、半導体基板１０の裏面からレーザー光を照射して、半導体基板１０の裏面の表面領域のみを高温度（例えば９００℃以上程度）に加熱する。レーザーアニールにより半導体基板１０の裏面の表面領域のみが加熱されるため、半導体基板１０の厚さを薄くしたときにおいても、半導体基板１０に反りが生じることを抑制することができる。
【０１４２】
より具体的には、ドレイン電極５１とｎ+型ドレイン領域とのオーミック接触を形成するための一般的なレーザーアニールは、例えば、３００ｎｍ〜４００ｎｍ程度の波長のレーザー光（例えばＹＡＧ（Ｙｔｔｒｉｕｍ  Ａｌｕｍｉｎｕｍ  Ｇａｒｎｅｔ）レーザー）を、２ｍＪ〜４ｍＪのエネルギー密度で、かつ４０％〜７０％程度のオーバーラップ率（レーザー光の重なり率）で、半導体基板１０の裏面にスポット照射する。
【０１４３】
次に、スパッタリングにより、半導体基板１０のおもて面上に、バリアメタル４６ａ，４６ｂとなる第１Ｔｉ膜４３ａ，４３ｂ、第２ＴｉＮ膜４４ａ，４４ｂおよび第２Ｔｉ膜４５ａ，４５ｂと、ソースパッド２１ａ、ゲートパッド２１ｂおよびＯＣパッド２２となるＡｌ膜（またはＡｌ合金膜）と、を順に積層する。Ａｌ膜の厚さは、例えば５μｍ以下程度である。
【０１４４】
次に、フォトリソグラフィおよびエッチングにより、半導体基板１０のおもて面上に堆積した金属膜をパターニングして、バリアメタル４６ａ，４６ｂ、ソースパッド２１ａ、ゲートパッド２１ｂ、ＯＣパッド２２、過電圧保護部のＯＶパッド（不図示）、および演算回路部の電極パッド（不図示）となる部分を残す。この半導体基板１０のおもて面上の金属膜の形成は、温度センス部１３を例えばレジストマスクで覆った状態で行う。
【０１４５】
次に、温度センス部１３を覆うレジストマスクを除去した後、フォトリソグラフィおよびエッチングにより層間絶縁膜８３を選択的に除去して第３，４コンタクトホール８３ａ，８３ｂを形成し、第３，４コンタクトホール８３ａ，８３ｂにそれぞれｐ型ポリシリコン層８１およびｎ型ポリシリコン層８２を露出させる。次に、熱処理により層間絶縁膜８３を平坦化する。
【０１４６】
次に、第３，４コンタクトホール８３ａ，８３ｂに埋め込むように、半導体基板１０のおもて面上にＡｌ膜（またはＡｌ合金膜）を形成してパターニングすることで、温度センス部１３のアノードパッド２３ａおよびカソードパッド２３ｂを形成する。次に、例えばスパッタリングにより、ドレイン電極５１の表面に、例えばＴｉ膜、Ｎｉ膜および金（Ａｕ）膜を順に積層してドレインパッド（不図示）を形成する。
【０１４７】
次に、ドレインパッドを構成する金属膜をシンタリング（金属粒子凝集のための熱処理）する。次に、半導体基板１０の裏面からヘリウム（Ｈｅ）を照射して、メイン無効領域１ｂの、センス有効領域１２ａを除く領域に、センス有効領域１２ａと離して、低ライフタイム領域６３を形成する。この低ライフタイム領域６３形成のためのヘリウム照射は、半導体基板１０のおもて面から行う場合には、いずれのタイミングで行ってもよい。
【０１４８】
このヘリウム照射を、例えば、上述したドーズ量の範囲内で、ｐ型ベース領域３４ｂ’および第２ｐ+型領域６２ｂ’とｎ-型ドリフト領域３２とのｐｎ接合付近を飛程として行い、当該ｐｎ接合を内部に含む低ライフタイム領域６３を形成することがよい。ヘリウム照射に代えて、プロトン照射によって低ライフタイム領域６３を形成してもよく、この場合、プロトン照射は後述するめっき膜４７ａ〜４７ｄの形成前に行う。
【０１４９】
半導体基板１０に照射したヘリウムは禁制帯に準位を形成し、この準位密度が多いと、再結合センターにより電子とホールとが結合してリーク電流が増加する。このため、リーク電流の絶対値が大きい場合、リーク電流を低下させるために熱処理によって準位密度を低減して最適化する。準位密度を低減して最適化するための工程として、例えば３００℃以上での熱処理（以下、ヘリウムのアニールとする）が必要になる。
【０１５０】
ヘリウムのアニールは、プロセス上のすでに含まれる工程を適用して行ってもよいし、新たに工程を追加して行ってもよい。ヘリウムのアニールをプロセス上すでに含まれる工程を適用して行う場合、上述したドレインパッドのシンタリング、第１保護膜４９ａ〜４９ｃおよび第２保護膜５０ａ〜５０ｃとなる後述するポリイミド膜のキュア（硬化のための熱処理）、および、後述するめっき膜４７ａ〜４７ｄのベーク（乾燥のための熱処理）のいずれかの熱処理と同時に行ってもよい。
【０１５１】
これらいずれかの工程を適用してヘリウムのアニールを行う場合、そのヘリウムの熱処理に適用した工程の直前に、低ライフタイム領域６３形成のためのヘリウム照射を行ってもよい。また、ヘリウムのアニールをドレインパッドのシンタリングと同時に行う場合、半導体装置２０の製造プロセスのうち、例えば３００℃を超えるすべての高温プロセスを終えた後、ドレインパッドのシンタリング前に、低ライフタイム領域６３形成のためのヘリウム照射を行えばよい。
【０１５２】
次に、例えば化学気相成長（ＣＶＤ：Ｃｈｅｍｉｃａｌ  Ｖａｐｏｒ  Ｄｅｐｏｓｉｔｉｏｎ）法により、半導体基板１０のおもて面をポリイミド膜で保護する。次に、ポリイミド膜を硬化させるための熱処理（キュア）を行う。次に、フォトリソグラフィおよびエッチングにより当該ポリイミド膜を選択的に除去して、電極パッドをそれぞれ覆う第１保護膜４９ａ〜４９ｃを形成するとともに、これら第１保護膜４９ａ〜４９ｃを開口する。
【０１５３】
次に、一般的なめっき前処理の後、一般的なめっき処理により、電極パッド２１ａ，２１ｂ，２２，２３ａ，２３ｂの、第１保護膜４９ａ〜４９ｃの開口部に露出する部分にめっき膜４７ａ〜４７ｄを形成する。このとき、第１保護膜４９ａ〜４９ｃは、めっき膜４７ａ〜４７ｄの濡れ広がりを抑制するマスクとして機能する。めっき膜４７ａ〜４７ｄの厚さは、例えば５μｍ程度であってもよい。次に、めっき膜４７ａ〜４７ｄを乾燥させるための熱処理（ベーク）を行う。
【０１５４】
次に、例えばＣＶＤ法により、めっき膜４７ａ〜４７ｄと第１保護膜４９ａ〜４９ｃとの各境界を覆う第２保護膜５０ａ〜５０ｃとなるポリイミド膜を形成する。次に、ポリイミド膜のキュアを行う。次に、めっき膜４７ａ〜４７ｄ上に、それぞれはんだ層（不図示）により端子ピン４８ａ〜４８ｄを接合する。このとき、第２保護膜５０ａ〜５０ｃは、はんだ層の濡れ広がりを抑制するマスクとして機能する。
【０１５５】
第２保護膜５０ａ〜５０ｃとなるポリイミド膜のキュア後に、上述したヘリウムのアニールを行ってもよい。その後、半導体基板１０をダイシング（切断）して個々のチップ状に個片化することで、図１〜３に示す半導体装置２０が完成する。
【０１５６】
以上、説明したように、実施の形態１によれば、活性領域のメイン無効領域のＯＣパッドの直下の一部に電流センス部の単位セルを配置してセンス有効領域とし、かつメイン無効領域の、センス有効領域を除く領域に、センス有効領域と離して、センス有効領域の周囲を囲む低ライフタイム領域を配置する。これによって、メイン無効領域に形成される寄生ダイオードの順方向電圧を、センス有効領域に形成される寄生ダイオードの順方向電圧よりも高くすることができる。このため、メイン無効領域に形成される寄生ダイオードのターンオン時に、メイン無効領域のｎ-型ドリフト領域に蓄積される少数キャリア（正孔）の蓄積量を小さくすることができる。
【０１５７】
したがって、メイン半導体素子および電流センス部がオフからオンにスイッチングして、寄生ダイオードがターンオフしたとき、メイン無効領域のｎ-型ドリフト領域中で発生する正孔電流（メイン半導体素子の寄生ダイオードの逆回復電流）の電流量が小さくなり、センス有効領域のｐ型ベース領域へ正孔電流が過剰に流れ込むことを抑制することができる。これによって、電流センス部にかかる電界を緩和させることができるため、電流センス部のＥＳＤ耐量が高くなり、メイン無効領域の寄生ダイオードの逆回復耐量を高くすることができる。
【０１５８】
また、実施の形態１によれば、上述したようにメイン無効領域の、センス有効領域を除く領域において半導体基板のおもて面の表面領域にｐ型ベース領域を配置することができるため、メイン無効領域において半導体基板のおもて面内で電界を均一にして耐圧を向上させることができる。このため、メイン無効領域の寄生ダイオードの逆回復耐量を高くすることができるとともに、メイン無効領域において、フィールド絶縁膜に局所的に電界が集中することを抑制することができ、フィールド絶縁膜の絶縁破壊を抑制することができる。
【０１５９】
（実施の形態２）
次に、実施の形態２にかかる半導体装置について説明する。図１１は、実施の形態２にかかる半導体装置を半導体基板のおもて面側から見たレイアウトを示す平面図である。実施の形態２にかかる半導体装置２０１が実施の形態１にかかる半導体装置２０（図１〜３参照）と異なる点は、同一の半導体基板１０の活性領域１に、メイン半導体素子１１および電流センス部１２のみを備える点である。
【０１６０】
すなわち、実施の形態２においては、メイン無効領域１ｂにゲートパッド２１ｂおよびＯＣパッド２２のみが配置されている。このため、メイン半導体素子１１と同一の半導体基板１０に、メイン半導体素子１１を保護・制御するための回路部として、電流センス部１２とともに、電流センス部１２以外の高機能部も配置されている場合と比べて、メイン無効領域１ｂの表面積が小さくなっている。
【０１６１】
メイン無効領域１ｂには、実施の形態１と同様に、低ライフタイム領域６３が設けられている。メイン無効領域１ｂにおける低ライフタイム領域６３の表面積は、メイン無効領域１ｂのｐ型ベース領域３４ｂ’の表面積と略同じである。メイン無効領域１ｂに配置される電極パッドの個数が少ないことで、メイン無効領域１ｂの表面積が小さくなっている場合においても、低ライフタイム領域６３は実施の形態１と同様の機能を有する。
【０１６２】
メイン無効領域１ｂの表面積を小さくした分だけ、メイン有効領域１ａの表面積を大きくして、実施の形態２にかかる半導体装置２０１の電流能力を向上させることができる。実施の形態２においては、例えば、メイン有効領域１ａは、一部が内側に凹んだ略矩形状の平面形状を有していてもよい。メイン無効領域１ｂは、メイン有効領域１ａの凹部に配置され、メイン有効領域１ａに３辺を囲まれた略矩形状の平面形状を有していてもよい。
【０１６３】
実施の形態２において、メイン有効領域１ａおよび電流センス部１２の断面構造（切断線Ｘ１−Ｘ２−Ｘ３−Ｘ４−Ｘ５における断面構造）は実施の形態１と同様である（図２参照）。メイン有効領域１ａ、センス無効領域１２ｂおよび温度センス部１３の断面構造（切断線Ｘ１−Ｘ２−Ｘ３および切断線Ｙ１−Ｙ２における断面構造は実施の形態１と同様である（図３参照）。
【０１６４】
以上、説明したように、実施の形態２によれば、同一の半導体基板の活性領域にメイン半導体素子および電流センス部のみを備える場合においても、実施の形態１と同様の効果を得ることができる。
【０１６５】
（実施の形態３）
次に、実施の形態３にかかる半導体装置について説明する。図１２は、実施の形態３にかかる半導体装置を半導体基板のおもて面側から見たレイアウトを示す平面図である。実施の形態３にかかる半導体装置２０２が実施の形態２にかかる半導体装置２０１（図１１参照）と異なる点は、次の２点である。１つ目の相違点は、ゲートパッド２１ｂおよびＯＣパッド２２の直下それぞれに互いに離れてｐ型ベース領域３４ｃが設けられている点である。
【０１６６】
各ｐ型ベース領域３４ｃは、それぞれ、深さ方向Ｚに対向する電極パッド（ゲートパッド２１ｂおよびＯＣパッド２２）よりも表面積が大きく、深さ方向Ｚに当該電極パッドの全面に対向する。各ｐ型ベース領域３４ｃは、それぞれ、実施の形態１と同様に、メイン有効領域１ａとメイン無効領域１ｂとの間において、メイン半導体素子１１のｐ型ベース領域３４ａに連結され、メイン半導体素子１１のソース電位に固定されている。
【０１６７】
ＯＣパッド２２の直下のｐ型ベース領域３４ｃは、実施の形態１と同様に、センス有効領域１２ａと離れて、センス有効領域１２ａの周囲を略矩形状に囲む。ゲートパッド２１ｂの直下のｐ型ベース領域３４ｃと、ＯＣパッド２２の直下のｐ型ベース領域３４ｃと、の間の領域にメイン半導体素子１１の単位セルを配置して、当該ｐ型ベース領域３４ｃ間の領域をメイン有効領域１ａ’としてもよい。各ｐ型ベース領域ｃとｎ-型ドリフト領域３２との間に、メイン半導体素子１１と同様に、第２ｐ+型領域が設けられていてもよい。
【０１６８】
ゲートパッド２１ｂの直下のｐ型ベース領域３４ｃと、ＯＣパッド２２の直下のｐ型ベース領域３４ｃと、の間の領域をメイン有効領域１ａ’とした場合、ゲートパッド２１ｂの直下のｐ型ベース領域３４ｃおよび第２ｐ+型領域とｎ-型ドリフト領域３２とのｐｎ接合で形成される寄生ダイオードのターンオフ時に、ゲートパッド２１ｂの直下のｎ-型ドリフト領域３２中で発生する正孔電流を、メイン有効領域１ａ’のｐ型ベース領域３４ａからソースパッド２１ａへ引き抜くことができる。
【０１６９】
２つ目の相違点は、ＯＣパッド２２の直下のｐ型ベース領域３４ｃにのみ、低ライフタイム領域６３’が配置されている点である。低ライフタイム領域６３’は、ＯＣパッド２２の直下のｐ型ベース領域３４ｃ（ｐ型ベース領域３４ｃとｎ-型ドリフト領域３２との間に第２ｐ+型領域（不図示）が存在する場合は、ｐ型ベース領域３４ｃおよび第２ｐ+型領域）とｎ-型ドリフト領域３２（図２，３参照）とのｐｎ接合のみを内部に含む。
【０１７０】
低ライフタイム領域６３’は、ｐ型ベース領域３４ｃおよび第２ｐ+型領域とｎ-型ドリフト領域３２とのｐｎ接合の全面を内部に含むことがよい。低ライフタイム領域６３’の内周は、メイン無効領域１ｂのｐ型ベース領域３４ｃの内周と略同じである。メイン無効領域１ｂにおける低ライフタイム領域６３’の表面積は、メイン無効領域１ｂのｐ型ベース領域３４ｃの表面積と略同じである。
【０１７１】
実施の形態１にかかる半導体装置２０（図１〜３）に実施の形態３を適用してもよい。すなわち、メイン無効領域１ｂに、ゲートパッド２１ｂおよびＯＣパッド２２以外の電極パッドも配置され、これらすべての電極パッドの直下それぞれに互いに離れてｐ型ベース領域３４ｃが設けられた場合においても、ＯＣパッド２２の直下のｐ型ベース領域３４ｃにのみ、低ライフタイム領域６３’が配置される。
【０１７２】
以上、説明したように、実施の形態３によれば、ソースパッド以外のすべての電極パッドの直下それぞれに互いに離れてｐ型低ドーズ領域が設けられている場合においても、実施の形態１，２と同様の効果を得ることができる。
【０１７３】
（実施の形態４）
次に、実施の形態４にかかる半導体装置について説明する。図１３は、実施の形態４にかかる半導体装置を半導体基板のおもて面側から見たレイアウトを示す平面図である。実施の形態４にかかる半導体装置２０’が実施の形態１にかかる半導体装置２０（図１〜３参照）と異なる点は、メイン無効領域１ｂ付近のｎ-型ドリフト領域３２中で発生した正孔電流を接地電位の接地点ＧＮＤへ引き抜く金属電極（以下、引き抜き電極とする）１８を備える点である。
【０１７４】
引き抜き電極１８は、メイン無効領域１ｂにおいて半導体基板１０のおもて面上に設けられ、ｐ型ベース領域３４ｂ’に電気的に接続されている。引き抜き電極１８は、ソースパッド２１ａの電位（ソース電位：接地電位）に固定されている。引き抜き電極１８は、例えば、メイン無効領域１ｂの外周部に、メイン無効領域１ｂとエッジ終端領域２との境界に沿って設けられている。引き抜き電極１８は、図示省略する層間絶縁膜のコンタクトホールにおいて、ｐ++型コンタクト領域１９を介してｐ型ベース領域３４ｂ’に電気的に接続されている。
【０１７５】
ｐ++型コンタクト領域１９は、ｐ型ベース領域３４ｂ’の内部において、半導体基板１０の表面領域に設けられている。図１３には、ゲートパッド２１ｂとエッジ終端領域２との間と、ＯＣパッド２２とエッジ終端領域２との間と、のそれぞれに、ｐ++型コンタクト領域１９を形成した場合を示すが、いずれか一方にｐ++型コンタクト領域１９が配置されていればよい。また、アノードパッド２３ａとエッジ終端領域２との間や、カソードパッド２３ｂとエッジ終端領域２との間に、ｐ++型コンタクト領域１９が配置されていてもよい。
【０１７６】
引き抜き電極１８は、活性領域１の寄生ダイオード１６，１７（図４参照）がターンオフしたときに、メイン有効領域１ａやエッジ終端領域２のｎ-型ドリフト領域３２中で発生してメイン無効領域１ｂへ流れ込む正孔電流を、ｐ型ベース領域３４ｂ’およびｐ++型コンタクト領域１９を介して接地電位の接地点ＧＮＤへ引き抜く機能を有する。図１３には、引き抜き電極１８の内周を破線で示す（図１４，１５，２１〜２３においても同様）。引き抜き電極１８の外周はメイン無効領域１ｂの外周と同じである。
【０１７７】
図１４，１５は、実施の形態４にかかる半導体装置の別の一例を半導体基板のおもて面側から見たレイアウトを示す平面図である。実施の形態２，３にかかる半導体装置２０１，２０２（図１１，１２）に実施の形態４を適用して、図１４，１５に示すように、同一の半導体基板１０の活性領域１にメイン半導体素子１１および電流センス部１２のみを備えた半導体装置２０１’，２０２’において、各ｐ型ベース領域３４ｂ’，３４ｃにそれぞれ電気的に接続された引き抜き電極１８が配置されてもよい。
【０１７８】
以上、説明したように、実施の形態４によれば、実施の形態１〜３と同様の効果を得ることができる。また、実施の形態４によれば、メイン無効領域においてソース電位に固定されたｐ型ベース領域に電気的に接続された引き抜き電極を設けることで、活性領域の寄生ダイオードがターンオフしたときに、メイン無効領域へ流れ込む正孔電流を引き抜き電極から引き抜くことができるため、メイン無効領域での寄生ダイオードの逆回復耐量をさらに向上させることができる。
【０１７９】
（実施の形態５）
次に、実施の形態５にかかる半導体装置について説明する。図１６は、実施の形態５にかかる半導体装置を半導体基板のおもて面側から見たレイアウトを示す平面図である。図１７，１８は、図１６の活性領域の断面構造を示す断面図である。図１７には、メイン有効領域１ａおよび電流センス部１２の断面構造（切断線Ｘ１−Ｘ２’−Ｘ３’−Ｘ４−Ｘ５における断面構造）を示す。
【０１８０】
図１８には、メイン有効領域１ａ、センス無効領域１２ｂおよび温度センス部１３の断面構造（切断線Ｘ１−Ｘ２’−Ｘ３’および切断線Ｙ１’−Ｙ２’における断面構造）を示す。メイン有効領域１ａおよびセンス有効領域１２ａの断面構造は、実施の形態１（図２のＸ１−Ｘ２−Ｘ３断面を参照）と同様である。
【０１８１】
実施の形態５にかかる半導体装置２１０が実施の形態１にかかる半導体装置２０（図１〜３参照）と異なる点は、低ライフタイム領域に代えて、高コンタクト抵抗領域６４を備える点である。高コンタクト抵抗領域６４は、メイン無効領域１ｂの、センス有効領域１２ａを除く領域のほぼ全域において、半導体基板１０の裏面（ｎ+型出発基板３１の裏面）の表面領域に設けられている。高コンタクト抵抗領域６４は、センス有効領域１２ａと離れて、センス有効領域１２ａの周囲を略矩形状に囲む。
【０１８２】
高コンタクト抵抗領域６４は、深さ方向Ｚに、メイン無効領域１ｂのｐ型ベース領域３４ｂ’および第２ｐ+型領域６２ｂ’に対向する。高コンタクト抵抗領域６４は、メイン無効領域１ｂから、エッジ終端領域２の、メイン無効領域１ｂに隣接する部分へ延在していてもよい。図１６には、高コンタクト抵抗領域６４がメイン無効領域１ｂから、エッジ終端領域２側へ延在して、半導体基板１０の端部（チップ端部）まで達している状態を示す（図１９〜２３においても同様）。
【０１８３】
高コンタクト抵抗領域６４は、ドレイン電極５１に接触し、ドレイン電極５１に電気的に接続されている。高コンタクト抵抗領域６４は、ドレイン電極５１とｎ+型ドレイン領域（ｎ+型出発基板３１）とのコンタクト抵抗を高くする機能を有する。したがって、高コンタクト抵抗領域６４は、実施の形態１の低ライフタイム領域と同様に、メイン無効領域１ｂに形成される寄生ダイオード１６ｂの順方向電圧（電圧降下）を、センス有効領域１２ａに形成される寄生ダイオード１７の順方向電圧よりも高くする機能を有する。
【０１８４】
したがって、ドレイン電極５１とｎ+型ドレイン領域とのコンタクト抵抗は、ドレイン電極５１と高コンタクト抵抗領域６４が接触する部分で他の部分よりも高くなっている。高コンタクト抵抗領域６４は、センス有効領域１２ａには設けられていない。このため、メイン無効領域１ｂに高コンタクト抵抗領域６４を設けたとしても、ＭＯＳＦＥＴである電流センス部１２のオン抵抗が高くなることを防止することができる。
【０１８５】
実施の形態５にかかる半導体装置２１０の製造方法は、実施の形態１にかかる半導体装置の製造方法において、低ライフタイム領域の形成工程（ライフタイムキラーとしてのヘリウム照射およびヘリウムのアニール）に代えて、高コンタクト抵抗領域６４の形成工程を行う。例えば、ドレイン電極５１とｎ+型ドレイン領域とのオーミック接触を形成するための熱処理を、高コンタクト抵抗領域６４の形成領域で他の領域よりもコンタクト抵抗が高くなるように調整することで、高コンタクト抵抗領域６４を形成してもよい。
【０１８６】
具体的には、ドレイン電極５１とｎ+型ドレイン領域とのオーミック接触を形成するための熱処理を、実施の形態１と同様に、半導体基板１０の裏面からのレーザーアニールで行う。このレーザーアニール時、高コンタクト抵抗領域６４の形成領域へのレーザーアニールを、ドレイン電極５１とｎ+型ドレイン領域とのオーミック接触を形成するための一般的なレーザーアニール条件でのレーザーアニールよりも高コンタクト抵抗なオーミック接触が形成される条件で行う。
【０１８７】
ドレイン電極５１とｎ+型ドレイン領域とのオーミック接触を形成するための一般的なレーザーアニール条件は、実施の形態１と同様である。ドレイン電極５１とｎ+型ドレイン領域とのオーミック接触を高コンタクト抵抗とするためのレーザーアニール条件は、例えばレーザーエネルギー密度を２．２Ｊ／ｃｍ2以上３．０Ｊ／ｃｍ2以下程度にすればよい。
【０１８８】
具体的には、例えば、高コンタクト抵抗領域６４の形成領域へのレーザーアニールを、メイン無効領域１ｂの、センス有効領域１２ａを除く領域に形成される寄生ダイオード１６ｂの順方向電圧が、センス有効領域１２ａに形成される寄生ダイオード１７の順方向電圧よりも１０％以上程度高くなるような条件で行う。
【０１８９】
より具体的には、高コンタクト抵抗領域６４の形成領域へのレーザーアニールのレーザー光のオーバーラップ率を、上述した一般的なレーザーアニールのレーザー光のオーバーラップ率と同じとした場合、レーザー光のエネルギー密度を、当該一般的なレーザーアニールのレーザー光のエネルギー密度の９０％以下にすればよい。
【０１９０】
また、高コンタクト抵抗領域６４の形成領域へのレーザーアニールのレーザー光のエネルギー密度を、上述した一般的なレーザーアニールのレーザー光のエネルギー密度と同じとした場合、レーザー光のオーバーラップ率を、当該一般的なレーザーアニールのレーザー光のオーバーラップ率の５０％以下にすればよい。
【０１９１】
高コンタクト抵抗領域６４の形成領域へのレーザーアニールのレーザー光のオーバーラップ率は０％（すなわちレーザー光の重なりなし）であってもよいが、レーザー光の隣り合うスポット照射箇所は互いに離れていない（すなわちオーバーラップ率０％以上である）ことがよい。その理由は、レーザーアニールされない箇所が生じて、コンタクト抵抗が高くなりすぎてしまうからである。
【０１９２】
高コンタクト抵抗領域６４の形成領域へのレーザーアニールのレーザー光のオーバーラップ率およびレーザー密度ともに、それぞれ、ドレイン電極５１とｎ+型ドレイン領域とのオーミック接触を形成するための一般的なレーザーアニールのレーザー光のオーバーラップ率およびエネルギー密度よりも小さくしてもよい。
【０１９３】
また、高コンタクト抵抗領域６４に代えて、半導体基板１０の裏面上のＮｉ膜あるいはＮｉＳｉ膜をパターニングして、メイン無効領域１ｂの、センス有効領域１２ａを除く領域における半導体基板１０の裏面を露出させ、半導体基板１０の当該露出した裏面上に、同じアニール条件でもＮｉＳｉ膜より高い抵抗が得られる金属膜（例えばＴｉ膜）を形成し、レーザーアニールしてもよい。さらには、レーザーアニールを行わず、半導体基板１０の裏面と金属膜とをショットキー接触のままとしてもよい。
【０１９４】
ドレイン電極５１とｎ+型ドレイン領域とのオーミック接触を形成するためのレーザーアニール条件を調整することに代えて、高コンタクト抵抗領域６４の形成領域にｐ型不純物をイオン注入して、ｎ+型ドレイン領域のうち、高コンタクト抵抗領域６４のｎ型不純物濃度を、他の領域のｎ型不純物濃度よりも低くしてもよい。
【０１９５】
また、半導体基板１０の裏面側に高コンタクト抵抗領域６４を形成する前に、メイン無効領域１ｂや、センス有効領域１２ａ、半導体基板１０のおもて面側のｐ型ベース領域３４ｂ’の配置を半導体基板１０の裏面にマーキングし、当該マーキングを基準として位置合わせを行うことで、高コンタクト抵抗領域６４の配置を確認すればよい。
【０１９６】
図１９〜２３は、実施の形態５にかかる半導体装置の別の一例を半導体基板のおもて面側から見たレイアウトを示す平面図である。実施の形態２，３にかかる半導体装置２０１，２０２（図１１，１２）に実施の形態５を適用して、図１９，２０に示すように、同一の半導体基板１０の活性領域１にメイン半導体素子１１および電流センス部１２のみを備えた半導体装置２１１，２１２において、低ライフタイム領域に代えて、高コンタクト抵抗領域６４が配置されてもよい。
【０１９７】
実施の形態４にかかる半導体装置２０’，２０１’，２０２’（図１３〜１５）に実施の形態５を適用して、図２１〜２３に示すように、同一の半導体基板１０の活性領域１にメイン半導体素子１１および少なくとも電流センス部１２を備えた半導体装置２１０’，２１１’，２１２’において、各ｐ型ベース領域３４ｂ’，３４ｂ’，３４ｃにそれぞれ電気的に接続された引き抜き電極１８が配置されてもよい。
【０１９８】
図示省略するが、実施の形態１にかかる半導体装置２０や、実施の形態２，３にかかる半導体装置２０１，２０２、実施の形態４にかかる半導体装置２０’，２０１’，２０２’に実施の形態５を適用して、メイン無効領域１ｂの、センス有効領域１２ａを除く領域に、低ライフタイム領域６３および高コンタクト抵抗領域６４の両方が配置された構成としてもよい。
【０１９９】
以上、説明したように、実施の形態５によれば、メイン無効領域の、センス有効領域を除く領域に、低ライフタイム領域に代えて、高コンタクト抵抗領域を配置した場合においても、メイン無効領域に形成される寄生ダイオードの順方向電圧を、センス有効領域に形成される寄生ダイオードの順方向電圧よりも高くすることができるため、実施の形態１〜４と同様の効果を得ることができる。
【０２００】
（実施例）
次に、実施の形態１，５にかかる半導体装置２０，２１０の逆回復耐量について検討した。図２４は、実施例１の逆回復耐量による遮断電流の電流量を示す特性図である。図２５は、実施例２の逆回復耐量による遮断電流の電流量を示す特性図である。
【０２０１】
上述した実施の形態１にかかる半導体装置２０（以下、実施例１とする：図１〜３参照）と、従来の半導体装置１２０（以下、従来例とする：図２６〜２８参照）と、で活性領域の寄生ダイオードのターンオフ時に、メイン有効領域のｐ型ベース領域を通ってソースパッドへ引き抜かれる正孔電流（遮断電流）の電流量を比較した結果を図２４に示す。
【０２０２】
上述した実施の形態５にかかる半導体装置２１０（以下、実施例２とする：図１６〜１８参照）と、従来例（図２６〜２８参照）と、で活性領域の寄生ダイオードのターンオフ時に、メイン有効領域のｐ型ベース領域を通ってソースパッドへ引き抜かれる正孔電流の電流量を比較した結果を図２５に示す。
【０２０３】
図２４，２５に示すように、実施例１，２においては、従来例と比べて、活性領域１の寄生ダイオード１６，１７（図４参照）のターンオフ時に、メイン有効領域１ａのｐ型ベース領域３４ａを通ってソースパッド２１ａへ引き抜かれる正孔電流の電流量が多くなることが確認された。
【０２０４】
実施例１，２においては、メイン無効領域１ｂの、センス有効領域１２ａを除く領域に、それぞれ低ライフタイム領域６３および高コンタクト抵抗領域６４が配置されていることで、上述したようにメイン無効領域１ｂに形成される寄生ダイオード１６ｂ（図４参照）の順方向電圧を、センス有効領域１２ａに形成される寄生ダイオード１７の順方向電圧よりも高くすることができるからである。
【０２０５】
これによって、当該寄生ダイオード１６ｂのターンオン時に、メイン無効領域１ｂ付近に蓄積される少数キャリアの蓄積量が小さくなり、当該寄生ダイオード１６ｂのターンオフ時に、メイン無効領域１ｂ付近で発生する正孔電流の電流量が少なくなることで、メイン無効領域１ｂの寄生ダイオード１７の逆回復耐量が向上したからである。
【０２０６】
図示省略するが、実施の形態２，３にかかる半導体装置２０１，２０２、実施の形態４にかかる半導体装置２０’，２０１’，２０２’においても、実施例１と同様の効果が得られることが発明者により確認されている。実施の形態５にかかる半導体装置の別の一例２１１，２１２，２１０’，２１１’，２１２’ においても、実施例２と同様の効果が得られることが発明者により確認されている。
【０２０７】
以上において本発明は、上述した各実施の形態に限らず、本発明の趣旨を逸脱しない範囲で種々変更可能である。例えば、活性領域内においてメイン無効領域の配置は種々変更可能であり、メイン無効領域は、活性領域の中央付近に配置されて、その周囲をメイン有効領域に囲まれていてもよい。また、例えば、トレンチゲート構造に代えて、プレーナゲート構造を設けてもよい。また、炭化珪素を半導体材料にすることに代えて、炭化珪素以外のワイドバンドギャップ半導体を半導体材料とした場合においても本発明を適用可能である。また、本発明は、導電型（ｎ型、ｐ型）を反転させても同様に成り立つ。
【産業上の利用可能性】
【０２０８】
以上のように、本発明にかかる半導体装置は、メイン半導体素子と同一の半導体基板に電流センス部を備えた半導体装置に有用である。
【符号の説明】
【０２０９】
１  活性領域
１ａ，１ａ’  メイン有効領域
１ｂ  メイン無効領域
２  エッジ終端領域
１０  半導体基板
１１  メイン半導体素子
１２  電流センス部
１２ａ  センス有効領域
１２ｂ  センス無効領域
１３  温度センス部
１４  ゲートパッド部
１５  抵抗体
１６，１６ａ，１６ｂ  メイン半導体素子の寄生ダイオード
１７  電流センス部の寄生ダイオード
１８  引き抜き電極
１９，３６ａ，３６ｂ，３６ｃ  ｐ++型コンタクト領域
２０，２０’，２０１，２０１'，２０２，２０２'，２１０，２１０'，２１１，２１１'，２１２，２１２'  半導体装置
２１ａ  ソースパッド（電極パッド）
２１ｂ  ゲートパッド（電極パッド）
２２    ＯＣパッド（電極パッド）
２３ａ  アノードパッド（電極パッド）
２３ｂ  カソードパッド（電極パッド）
３１  ｎ+型出発基板
３２  ｎ-型ドリフト領域
３２ｂ  ｎ-型領域
３３ａ，３３ｂ  ｎ型電流拡散領域
３４ａ，３４ｂ，３４ｂ’，３４ｃ  ｐ型ベース領域
３５ａ，３５ｂ  ｎ+型ソース領域
３７ａ，３７ｂ  トレンチ
３８ａ，３８ｂ  ゲート絶縁膜
３９ａ，３９ｂ  ゲート電極
４０，８３  層間絶縁膜
４０ａ，４０ｂ，８３ａ，８３ｂ  コンタクトホール
４１ａ，４１ｂ  ＮｉＳｉ膜
４２ａ，４２ｂ  第１ＴｉＮ膜
４３ａ，４３ｂ  第１Ｔｉ膜
４４ａ，４４ｂ  第２ＴｉＮ膜
４５ａ，４５ｂ  第２Ｔｉ膜
４６ａ，４６ｂ  バリアメタル
４７ａ〜４７ｄ  めっき膜
４８ａ〜４８ｄ  端子ピン
４９ａ〜４９ｃ  第１保護膜
５０ａ〜５０ｃ  第２保護膜
５１  ドレイン電極
６１ａ，６１ｂ，６２ａ，６２ｂ，６２ｂ’，９１，９３  ｐ+型領域
６３，６３'  低ライフタイム領域
６４  高コンタクト抵抗領域
７１  ｎ-型炭化珪素層
７１ａ  ｎ-型炭化珪素層の厚さを増した部分
７２  ｐ型炭化珪素層
８０  フィールド絶縁膜
８１  ｐ型ポリシリコン層
８２  ｎ型ポリシリコン層
９２，９４  ｎ型領域
ＧＮＤ  接地点
Ｘ  半導体チップのおもて面に平行な方向（第１方向）
Ｙ  半導体チップのおもて面に平行でかつ第１方向と直交する方向（第２方向）
Ｚ  深さ方向
ｄ１  ｐ+型領域の深さ
ｄ２  ｐ+型領域間の距離
ｄ３  ｎ型領域の深さ
ｔ１１  ｎ-型炭化珪素層の、ｎ+型出発基板上に最初に積層する厚さ
ｔ１２  ｎ-型炭化珪素層の、厚さを増した部分の厚さ
ｔ１３  ｐ型炭化珪素層の厚さ
ｗ１  センス無効領域のｐ型ベース領域とセンス有効領域のｐ型ベース領域との距離
【図１】
2020191420.tif 000003
【図２】
2020191420.tif 000004
【図３】
2020191420.tif 000005
【図４】
2020191420.tif 000006
【図５】
2020191420.tif 000007
【図６】
2020191420.tif 000008
【図７】
2020191420.tif 000009
【図８】
2020191420.tif 000010
【図９】
2020191420.tif 000011
【図１０】
2020191420.tif 000012
【図１１】
2020191420.tif 000013
【図１２】
2020191420.tif 000014
【図１３】
2020191420.tif 000015
【図１４】
2020191420.tif 000016
【図１５】
2020191420.tif 000017
【図１６】
2020191420.tif 000018
【図１７】
2020191420.tif 000019
【図１８】
2020191420.tif 000020
【図１９】
2020191420.tif 000021
【図２０】
2020191420.tif 000022
【図２１】
2020191420.tif 000023
【図２２】
2020191420.tif 000024
【図２３】
2020191420.tif 000025
【図２４】
2020191420.tif 000026
【図２５】
2020191420.tif 000027
【図２６】
2020191420.tif 000028
【図２７】
2020191420.tif 000029
【図２８】
2020191420.tif 000030